(57)【要約】【課題】一般的なＤＶＤプレーヤにおいてＰＩＤ等の追加的付加情報を利用できるようにする。【解決手段】追記マーク列とピット列とにより、追記マーク列で記録された追加的付加情報が、通常のＤＶＤプレーヤに読み込ませることを指示するコマンド情報の形式で記録されているようにする。いわゆるＤＶＤシステムにおけるナビゲーションコマンドのように、再生装置が対応できる情報の記録において追加的付加情報を用いることで、追加的付加情報を現行の再生装置において利用できる。【選択図】図３２
2011014180.tif 000002
【特許請求の範囲】
【請求項１】
エンボスピット及びランドから成るピット列により情報が記録される再生専用型光ディスクであって、
少なくとも主データと、エラー検出コードと、エラー訂正用パリティが含まれるｎ行ｍ列のエラー訂正ブロックが形成されるデータフォーマットの記録データについて、或るエラー訂正ブロックでは、そのエラー訂正ブロック内の位置として上記エラー検出コードの配置位置と同列となる位置に追加的付加情報の配置位置が設定されている記録データに基づいて上記ピット列が形成されるとともに、
上記ピット列が形成されないエリアに、少なくとも、上記追加的付加情報と、上記追加的付加情報の記録に応じて記録が必要なエラー検出コード及びエラー訂正用パリティとを含む追加情報が、追記マーク及びランドから成る追記マーク列で記録されており、
さらに上記追記マーク列と上記ピット列とにより、上記追記マーク列で記録された上記追加的付加情報を再生装置に読み込ませることを指示するコマンド情報が記録されている再生専用型光ディスク。
【請求項２】
上記データフォーマットは、ＤＶＤ方式の再生専用型光ディスクのデータフォーマットであり、
上記コマンド情報は、ＤＶＤ再生装置に上記追加的付加情報を再生装置に読み込ませることを指示するナビゲーションコマンドである請求項１に記載の再生専用型光ディスク。
【請求項３】
上記追記マーク列が形成されるエラー訂正ブロックは、ディスク上の固定の半径位置に記録されるデータファイルに含まれるエラー訂正ブロックである請求項１に記載の再生専用型光ディスク。
【請求項４】
エンボスピット及びランドから成るピット列により情報が記録される再生専用型光ディスクの製造方法であって、
少なくとも主データと、エラー検出コードと、エラー訂正用パリティが含まれるｎ行ｍ列のエラー訂正ブロックが形成されるデータフォーマットにおける或るエラー訂正ブロック内で、上記エラー検出コードの配置位置と同列となる位置に追加的付加情報の配置位置を設定し、上記追加的付加情報と、上記追加的付加情報の記録に応じて記録が必要なエラー検出コード及びエラー訂正用パリティとを含む追加情報を記録するための追記エリアが形成される状態で、上記ピット列を形成された追記前ディスクを製造する追記前ディスク製造工程と、
上記追記前ディスク製造工程で製造された上記追記前ディスクにおける上記追記エリアに、上記追加情報の記録を行い、上記追記マーク列と上記ピット列とにより、上記追記マーク列で記録された上記追加的付加情報を再生装置に読み込ませることを指示するコマンド情報が記録された再生専用型光ディスクを製造する追記工程と、
が行われる再生専用型光ディスク製造方法。
【請求項５】
上記追記前ディスク製造工程では、上記追記エリアに上記追加的付加情報を記録することで、上記コマンド情報の記録データ列が形成されるように、上記コマンド情報の一部を上記ピット列により形成する請求項４に記載の再生専用型光ディスク製造方法。
【請求項６】
上記追記前ディスク製造工程では、上記ピット列は、光ディスク上で反射膜が被覆された凹凸形状として形成されるとともに、上記追記エリアは反射膜が被覆された平面形状領域として形成され、
上記追記工程では、上記追加情報は、上記追記エリアの反射膜を消失又は減少させて形成する追記マークと反射膜が被覆された平面部としてのランドによる追記マーク列により記録する請求項４に記載の再生専用型光ディスク製造方法。
【発明の詳細な説明】
【技術分野】
【０００１】
本発明は再生専用型光ディスクとその製造方法に関する。特に製造される再生専用型光ディスク媒体において追加的付加情報を付与できるようにする技術に関する。
【先行技術文献】
【特許文献】
【０００２】
【特許文献１】特開２００８−３１０８４７号公報
【特許文献２】特開２００１−１３５０２１号公報
【特許文献３】国際公開第０１／００８１４５号パンフレット
【特許文献４】国際公開第０２／１０１７３３号パンフレット
【背景技術】
【０００３】
例えば再生専用すなわちＲＯＭ（Read Only Memory）型のＣＤ（Compact Disc）、ＤＶＤ（Digital Versatile Disc）、ＢＤ(Blu-ray disc：登録商標)等の光ディスク媒体では、その光ディスク上には内周側から外周側に向かってリードインエリア、主データエリア、リードアウトエリアが形成される。
そして音楽、映像、ゲーム、アプリケーションプログラム、そのほかの情報データは、主データエリアに、所定の記録変調方式により記録されている。また、リードインエリアには、主データエリアに記録された情報データの再生管理のための情報やディスクの物理情報など各種の管理情報が記録されている。
例えばこれらの再生専用型光ディスク媒体は、その優れた量産性による低い生産コストにより多くのコンテンツホルダーがコンテンツの提供手段として利用している。
【０００４】
再生専用型光ディスク媒体の製造工程は、ＤＶＤ（ＤＶＤ−ＲＯＭ）を例に挙げると、大きく分けて、光ディスクの原盤をレーザビームによって作製するマスタリング工程と、光ディスク原盤から作製されたスタンパを使用して多数のディスク基板を作製し、ディスク基板上へ膜を形成する成形成膜工程と、対となる２枚の０．６ｍｍ厚の光ディスクを所定の厚みを有する接着剤で貼り合わせて１．２ｍｍ厚のＤＶＤディスク媒体とする貼り合せ工程とがある。
【０００５】
上記成形成膜工程において、スタンパを用いて大量生産されるディスク基板は、スタンパに形成された凹凸パターンが転写されたものである。即ち情報記録面となる部分に凹凸形状のパターンとしてのエンボスピット／ランドによる記録データ列（ピット列）が形成され、この記録データ列がスパイラル状もしくは同心円状の記録トラックと成るようにされている。そしてピット／ランドが形成される情報記録面には、その凹凸形状に対して金属合金反射膜が被覆される。
ディスク完成後は、この反射膜により、再生装置から照射されるレーザ光がピット／ランドの部分で反射されるようにしている。
【発明の概要】
【発明が解決しようとする課題】
【０００６】
再生専用型光ディスクは、製造された後に、追加的な情報記録を行うことは想定されていない。ところが近年では、所定の情報データを記録した再生専用型光ディスクの管理等のために、製造される再生専用型光ディスクの１枚ごとにユニークな識別番号や記録したコンテンツに応じた識別情報などの追加的な情報（追加的付加情報）を記録する方法が要望されている。
【０００７】
追加的な情報記録を行う場合、光ディスク上にピット列を形成しないエリアを追記エリアとして設けておき、その追記エリアに追記マークを形成して情報記録を行うことが考えられる。ところが、単純に識別情報等の追加的付加情報を記録するのみでは追記は実現できない。
ＤＶＤ−ＲＯＭを考えると、追記エリアに追加的付加情報を記録した状態で、ＤＶＤ−ＲＯＭのデータフォーマットに適合する状態となっていなければならない。
例えばＤＶＤ−ＲＯＭのデータフォーマットにおいて、エラー訂正ブロック（ＥＣＣブロック）を考える。エラー訂正ブロックは複数のセクタデータと、エラー訂正コードとしての列方向パリティ（以下、ＰＯパリティ）と行方向パリティ（以下、ＰＩパリティ）が含まれる。さらにセクターデータ内には主データ（ユーザデータ）と、主データを対象としたエラー検出コード（ＥＤＣ）が含まれている。
【０００８】
ここで、セクタ内のユーザデータの一部の領域に相当する光ディスク上の領域が追記エリアとされ、その追記エリアに追加的付加情報を記録することを考える。
すると、追加的付加情報の書込によって当然セクタ内のＥＤＣの値は書込前から変化する。またＥＣＣブロック単位で見れば、ＰＩパリティ、ＰＯパリティの値も変化する。
ピット列でデータが記録される再生専用型光ディスクは、当然ながら書き換え不能であるため、結局、追加的付加情報の書込によって値が変化するＥＤＣ，ＰＩパリティ、ＰＯパリティについては、追加的付加情報の書込の際に書き込まなければならない。
つまり、ピット列形成後の光ディスクに対して追加的な情報書込を行う場合、書き込むべき追加情報としては、識別情報等の追加的付加情報に加えて、追加的付加情報に影響を受けるＥＤＣ，ＰＩパリティ、ＰＯパリティも含まれる。
このため、エラー検出コードやエラー訂正用パリティなども考慮して、効率的な追加記録が実行されるようにすることが求められる。
さらには、追記エリアに書き込んだ追記マークによるデータ列が、ＤＶＤ方式で規定されているランレングス条件を満たしてることなど、データフォーマット上の制約を満たしたうえで、適切な追記マークを形成することが求められる。
【０００９】
このため発明者らは先に、上記特許文献１に示す手法を開発した。上記特許文献１の発明によれば、このような点を考慮して、適切に、再生専用型光ディスクにおいて個体毎の識別情報等の追加的付加情報の記録を行うことができる。
【００１０】
一方で、エンボスピット列の一部に追記エリアを形成して追加的付加情報を追記することや、上記のようにＥＤＣやパリティ等までを含めた追記の必要性などから、追記は、ＤＶＤ上に記録される本来のコンテンツに影響の無い領域で行うことが好ましい。このため、追記エリアはＤＶＤ上のファイルシステムで管理されない領域に行うことが考えられる。
しかしながら、現在普及している一般的なＤＶＤプレーヤでは、そのようなファイルシステム管理外の追加的付加情報を読み込んで処理する機能はない。
つまり、ファイルシステム管理外の情報にアクセスできるようにした専用の装置や、専用のプログラムをインストールしたパーソナルコンピュータなどでは追加的付加情報を利用することはできるが、通常のＤＶＤプレーヤで、広く利用することができない。
【００１１】
そこで本発明では、通常のＤＶＤプレーヤ等、一般の再生装置でも、追加的付加情報を読み込むことができるようにし、追加的付加情報をより多様に利用できるようにすることを目的とする。
【課題を解決するための手段】
【００１２】
本発明の再生専用型光ディスクは、エンボスピット及びランドから成るピット列により情報が記録される再生専用型光ディスクである。そして、少なくとも主データと、エラー検出コードと、エラー訂正用パリティが含まれるｎ行ｍ列のエラー訂正ブロックが形成されるデータフォーマットの記録データについて、或るエラー訂正ブロックでは、そのエラー訂正ブロック内の位置として上記エラー検出コードの配置位置と同列となる位置に追加的付加情報の配置位置が設定されている記録データに基づいて上記ピット列が形成される。このピット列が形成されないエリアに、少なくとも、上記追加的付加情報と、上記追加的付加情報の記録に応じて記録が必要なエラー検出コード及びエラー訂正用パリティとを含む追加情報が、追記マーク及びランドから成る追記マーク列で記録されている。さらに上記追記マーク列と上記ピット列とにより、上記追記マーク列で記録された上記追加的付加情報を再生装置に読み込ませることを指示するコマンド情報が記録されている。
また上記データフォーマットは、ＤＶＤ方式の再生専用型光ディスクのデータフォーマットであり、上記コマンド情報は、ＤＶＤ再生装置に上記追加的付加情報を再生装置に読み込ませることを指示するナビゲーションコマンドである。
また、上記追記マーク列が形成されるエラー訂正ブロックは、ディスク上の固定の半径位置に記録されるデータファイルに含まれるエラー訂正ブロックである。
【００１３】
本発明の再生専用型光ディスク製造方法は、エンボスピット及びランドから成るピット列により情報が記録される再生専用型光ディスクの製造方法である。そして、少なくとも主データと、エラー検出コードと、エラー訂正用パリティが含まれるｎ行ｍ列のエラー訂正ブロックが形成されるデータフォーマットにおける或るエラー訂正ブロック内で、上記エラー検出コードの配置位置と同列となる位置に追加的付加情報の配置位置を設定し、上記追加的付加情報と、上記追加的付加情報の記録に応じて記録が必要なエラー検出コード及びエラー訂正用パリティとを含む追加情報を記録するための追記エリアが形成される状態で、上記ピット列を形成された追記前ディスクを製造する追記前ディスク製造工程と、上記追記前ディスク製造工程で製造された上記追記前ディスクにおける上記追記エリアに、上記追加情報の記録を行い、上記追記マーク列と上記ピット列とにより、上記追記マーク列で記録された上記追加的付加情報を再生装置に読み込ませることを指示するコマンド情報が記録された再生専用型光ディスクを製造する追記工程とが行われる。
また、上記追記前ディスク製造工程では、上記追記エリアに上記追加的付加情報を記録することで、上記コマンド情報の記録データ列が形成されるように、上記コマンド情報の一部を上記ピット列により形成する。
また上記追記前ディスク製造工程では、上記ピット列は、光ディスク上で反射膜が被覆された凹凸形状として形成されるとともに、上記追記エリアは反射膜が被覆された平面形状領域として形成され、上記追記工程では、上記追加情報は、上記追記エリアの反射膜を消失又は減少させて形成する追記マークと反射膜が被覆された平面部としてのランドによる追記マーク列により記録する。
【００１４】
このような本発明では、追記マーク列とピット列とにより、追記マーク列で記録された追加的付加情報を再生装置（例えば通常のＤＶＤプレーヤ）に読み込ませることを指示するコマンド情報が記録されているようにする。
いわゆるＤＶＤシステムにおけるナビゲーションコマンドのように、再生装置が対応できる情報の記録において追加的付加情報を用いることで、追加的付加情報を現行の再生装置において利用できるようにすることができる。
なお、追加的付加情報とは、再生専用型光ディスクの１枚ごとにユニークな識別番号や記録したコンテンツに応じた識別情報などの情報である。
また、追加情報とは、識別情報等の追加的付加情報に加えて、追加的付加情報の記録に伴って記録すべきＥＤＣ，ＰＩパリティ、ＰＯパリティ等も含む用語として用いる。
【発明の効果】
【００１５】
本発明の再生専用型光ディスクによれば、再生専用型光ディスクに追記された、個別の識別情報などの追加的付加情報を一般の再生装置（ＤＶＤプレーヤ等）において読み込ませて利用させることができる。このためＤＶＤプレーヤ等において、追加的付加情報を用いた動作を実行させることができ、追加的付加情報の有効利用を図ることができる。
また本発明の再生専用型光ディスク製造方法によれば、このような再生専用型光ディスクを適切に製造できる。
【図面の簡単な説明】
【００１６】
【図１】本発明の実施の形態のディスク製造工程の説明図である。
【図２】実施の形態の製造過程の貼り合わせ済光ディスクの段階の説明図である。
【図３】実施の形態の再生専用型光ディスクの部分拡大図と模式的断面図である。
【図４】実施の形態の再生専用型光ディスクの追記エリアを含む部分拡大図と模式的断面図である。
【図５】実施の形態の再生専用型光ディスクの追加情報記録前の追記エリアを含む部分拡大図と模式的断面図である。
【図６】実施の形態の再生専用型光ディスクの追加情報記録部分のＳＥＭ写真を用いた説明図である。
【図７】実施の形態の追加情報記録装置のブロック図である。
【図８】ＤＶＤのセクタ構造及びＥＣＣブロック構造の説明図である。
【図９】インターリーブ後のＥＣＣブロック構造の説明図である。
【図１０】実施の形態のＥＣＣブロック内における追加的付加情報の配置位置の説明図である。
【図１１】実施の形態のレコーディングセクタにおける追記エリアの説明図である。
【図１２】ピット列に続く追記エリアの先頭部分の非適切な状況の説明図である。
【図１３】実施の形態でデータシンボル「５４」を追記エリア直前に記録した場合の説明図である。
【図１４】ＥＦＭ＋変調のメイン変換テーブルの説明図である。
【図１５】ＥＦＭ＋変調のサブ変換テーブルの説明図である。
【図１６】ＤＶＤのシンクコードの説明図である。
【図１７】ＤＶＤのシンクコードの種別の説明図である。
【図１８】実施の形態の追記エリア終端部の記録の様子の説明図である。
【図１９】実施の形態の追記エリア終端部の記録の様子の説明図である。
【図２０】実施の形態の追記のためのシンボル配置例の説明図である。
【図２１】実施の形態の追記のためのシンボル配置例の説明図である。
【図２２】実施の形態の追記のためのシンボル配置例の説明図である。
【図２３】実施の形態の追記のためのシンボル配置例の説明図である。
【図２４】実施の形態の追記のためのシンボル配置例の説明図である。
【図２５】実施の形態の追記のためのシンボル配置例の説明図である。
【図２６】実施の形態のＤＶＤ上のＰＩＤエリアの説明図である。
【図２７】ＤＶＤに記録されるファイル例の説明図である。
【図２８】実施の形態のファイル配置の説明図である。
【図２９】実施の形態のディスクを再生する再生装置の処理のフローチャートである。
【図３０】実施の形態で用いるＤＶＤのナビゲーションコマンドの説明図である。
【図３１】実施の形態のディスクに対する再生装置のＰＩＤ取り込みの説明図である。
【図３２】実施の形態のＰＩＤ書込ディスクの説明図である。
【図３３】実施の形態のディスク製造段階のナビゲーションコマンドパターンの説明図である。
【図３４】実施の形態のオーサリング段階のナビゲーションコマンド挿入例の説明図である。
【図３５】実施の形態のオーサリング段階のナビゲーションコマンド書換例の説明図である。
【図３６】実施の形態のディスクの追記に関する製造工程のフローチャートである。
【図３７】実施の形態のＰＩＤ書込ディスクの説明図である。
【図３８】実施の形態のＰＩＤ書込ディスクの説明図である。
【図３９】実施の形態のＰＩＤ書込ディスクの説明図である。
【発明を実施するための形態】
【００１７】
以下、本発明の実施の形態として、ＤＶＤ方式の再生専用型光ディスクを例に挙げて説明する。特にＤＶＤ−ＲＯＭとしての再生専用型光ディスクについて、個別ＩＤなどの比較的容量の少ない情報を追加的付加情報として記録する場合を述べる。説明は次の順序で行う。
［１．再生専用型光ディスクの製造工程及び追記マークによる追記］
［２．ＥＣＣブロック構成と追加的付加情報の配置］
［３．追記エリアの開始部分の整合］
［４．追記エリアの終端部分の整合］
［５．ＰＯ補償シンボルの配置］
［６．ＤＶＤのナビゲーションコマンドへの適用］
［７．追記に関するディスク製造段階の処理］
【００１８】
［１．再生専用型光ディスクの製造工程及び追記マークによる追記］
まず、実施の形態の再生専用型光ディスク９０の製造工程を図１で説明する。
図１は本実施の形態のＤＶＤとしての再生専用型光ディスクを製造する工程を示している。本例のディスク製造工程は、図示するように大きく分けて、マスタリング工程と、成形成膜工程と、貼り合せ工程と、追記工程とを有する。
マスタリング工程は、光ディスク原盤をレーザビームによって作製する。成形成膜工程は、光ディスク原盤から作製されたスタンパを使用して多数のディスク基板を作製し、ディスク基板上へ膜を形成する。貼り合せ工程は、対となる２枚の０．６ｍｍ厚の光ディスクを所定の厚みを有する接着剤で貼り合わせて１．２ｍｍ厚の光ディスクとする。追記工程は、貼り合わせ済の個々の光ディスクに対して追加情報を記録する。
追加情報としては、例えば識別情報などディスク個別に付加したい情報としての追加的付加情報と、その追加的付加情報の記録に応じて記録が必要となるエラー検出コード（ＥＤＣ）やエラー訂正パリティなどを含む。
【００１９】
以下、各工程を詳細に説明していく。
マスタリング工程は、マスターディスク１９１に記録された情報データに基づいて、光ディスク原盤１９２を製造する工程である。この工程では、記録変調信号生成部１００とレーザビームレコーダ１１０を有するマスタリング装置が用いられる。
記録変調信号生成部１００は、マスターディスク１９１を再生して、記録する情報データ（マスターデータ）を読み込む。そして読み込んだ情報データの信号に対してスクランブルやＥＦＭ＋（Eight to Fourteen Modulation plus）変調を行って生成したＥＦＭ＋信号をレーザビームレコーダ１１０へ出力する。
【００２０】
光ディスク原盤１９２はガラス板に感光物質であるフォトレジストが塗布されたものである。レーザビームレコーダ１１０は、供給されたＥＦＭ＋信号に応じてレーザ光を光ディスク原盤１９２に照射し、ＥＦＭ＋信号に基づいたピットパターンの露光を行う。その後、フォトレジスト膜が現像処理されると、ポジ型レジストの場合では、露光された箇所が溶けて凹凸パターンがフォトレジスト膜状に形成される。即ち、所定のフォーマットに従ったピットパターン（ピット／ランドの凹凸形状）が光ディスク原盤１９２表面に形成される。
【００２１】
なお、上記のように記録変調信号生成部１００はマスターディスク１９１から読み出した信号に基づいてＥＦＭ＋信号を生成し、レーザビームレコーダ１１０に送出するが、追記管理部１６０からの指示に基づいて、連続的に送出するＥＦＭ＋信号の一部の特定の期間に無変調信号を挿入する。
無変調信号のタイミング期間では、レーザビームレコーダ１１０におけるレーザ光はオフ期間となる。つまりＥＦＭ＋信号において無変調信号が挿入されることで、光ディスク原盤１９２上で露光されない区間が形成される。この区間は全てランドとなって凹凸形状が形成されない平面形状領域となり、これが後述する追記エリアとなる。
【００２２】
このような光ディスク原盤１９２に基づき、この光ディスク原盤１９２のピットパターンが反転転写されたスタンパ１９３と称される金型が製作される。当然、スタンパ１９３にも追記エリアとなる平面形状領域が形成される。
【００２３】
次に成形成膜工程においては、まず成形装置１２０がスタンパ１９３を用いて光ディスク基板１９４を作製する。光ディスク基板１９４には光ディスク原盤１９２に形成された凹凸パターンが転写されてピットパターンが形成される。
光ディスク基板１９４の作製方法としては、圧縮成形、射出成形、光硬化法等が知られている。
スタンパ１９３からピットパターンが転写された光ディスク基板１９４に対しては、続いて成膜装置１３０で、反射膜等の被覆膜が被着されることによって、反射膜形成済み光ディスク基板１９５が形成される。
【００２４】
次に貼り合せ工程では、上記の反射膜形成済光ディスク基板１９５と貼り合せ基板１９６との貼り合せが行われる。
貼り合せ基板１９６としては、上記同様の工程で作製した反射膜形成済み光ディスク基板か、あるいは、半透過反射膜形成済み光ディスク基板か、反射膜を被覆していないダミー用光ディスク基板が用いられる。
基板貼り合せ装置１４０は、反射膜形成済光ディスク基板１９５に対して、上記のいずれかの貼り合せ基板１９６を貼り合せ、貼り合せ済光ディスク１９７を製造する。
貼り合せの際の接着手法としては、紫外線硬化樹脂を用いる手法や、粘着剤付きシートによる手法等が知られている。
【００２５】
従来のＤＶＤでは、上記貼り合せ済光ディスク１９７が、完成品としてのＤＶＤとなる。ところが、本例の場合、上述のようにピットパターン（エンボスピットとランドによるピット列）が形成された記録トラック上の一部区間に、ピットパターンが形成されていない追記エリアが設けられている。
図２に、貼り合せ済光ディスク１９７を模式的に示している。ディスク上のエリア構成として、内周側から、管理情報が記録されたリードインエリアＬＩ、コンテンツデータが記録された主データエリアＭＡ、及びリードアウトエリアＬＯが形成される。
これらのリードインエリアＬＩ、主データエリアＭＡ、リードアウトエリアＬＯは、基本的にはエンボスピットとランドによるピット列により情報が記録される領域である。即ちＥＦＭ＋信号に基づいたピット／ランドによる記録データ列が、例えばスパイラル状の記録トラックとして形成されている。
【００２６】
ここで、主データエリアＭＡ内の或るトラックＴＫとして、一部に追記エリア１０が形成されている状態を示している。あくまでも説明のための模式図であり、追記エリア１０の配置や線方向サイズなどは実際には必ずしも図示するとおりではないが、このようにピット列による記録トラックの一部に、反射膜が形成された平面形状領域として追記エリア１０が形成される。
なお、追記エリア１０を主データエリアＭＡ内のどの位置に形成するかは特に限定されない。また、追記エリア１０をリードインエリアＬＩやリードアウトエリアＬＯ内に形成してもよい。さらには、追記エリア１０をリードインエリアＬＩより内周側、あるいはリードアウトエリアＬＯより外周側に設けるということも考えられる。
但し後述する図２６の例では、追記エリア１０を含むＰＩＤ領域を、主データエリアＭＡ内であってリードアウトエリアＬＯに近い半径位置に設定している。
【００２７】
本例の場合、貼り合せ済光ディスク１９７は、このように追記エリア１０として未記録領域が残されているという点で、完成品のＤＶＤとはならない。そこで、このような貼り合せ済光ディスク１９７に対して追記工程が行われることになる。
追記工程では、追加情報記録装置１５０が、上記貼り合せ済光ディスク１９７における追記エリアに追加情報を書き込む。例えば光ディスク個体毎に異なる識別情報等の追加的付加情報（ＰＩＤ）やエラー検出コード、エラー訂正パリティなどを追加情報として書き込む。
この場合、追加情報記録装置１５０は、追記管理部１６０から追記エリアの位置情報（アドレス）を指示され、また書き込む追加情報が提供されて、追加情報の書込を行う。
追加情報記録装置１５０は、追加情報をＥＦＭ＋変調するとともに、そのＥＦＭ＋信号に基づいて記録用の高出力レーザパルスを照射し、追記エリアにおける反射膜を消失又は低減させることで追記マークを形成するという手法で書き込みを行う。
なお、この追加情報記録装置１５０の構成は後に図７で述べる。
【００２８】
このような追記工程が完了することで、再生専用型光ディスク９０の製造が完了される。そして以上の工程で大量生産される再生専用型光ディスク９０は、同一内容のコンテンツ（音楽、映像、ゲーム、アプリケーションプログラム等）を記録した光ディスクでありながら個々に固有の追加的付加情報（ＰＩＤ）が記録された光ディスクとすることができる。
【００２９】
なお、追記工程は、成形成膜工程や貼り合わせ工程を実行する製造工場内で行われてもよいし、他の施設、店舗等で行われてもよい。
例えばコンテンツホルダー（コンテンツを提供してディスク作成を依頼した業者など）が、貼り合わせ済光ディスク１９７の時点で納品されるようにし、コンテンツホルダーが自社の追加情報記録装置１５０で追加情報の記録を行うようにしてもよい。
さらには、店舗において、貼り合わせ済光ディスク１９７の状態で販売用に展示し、客が購入する際に、店舗に設置された追加情報記録装置１５０で追加情報の書込を行って客に受け渡すようなことも考えられる。
【００３０】
以上のように製造される再生専用型光ディスク９０において形成されているエンボスピット列及び追記マークについて説明する。
図３（ａ）はディスク上の記録面の一部を拡大し、通常のエンボスピット／ランドによるピット列として記録トラックが生成された部分を示しており、また、この図３（ａ）の破線部分の模式的な断面図を図３（ｂ）に示している。
図３（ｂ）からわかるように、この再生専用型光ディスク９０は、それぞれが例えばポリカーボネートより成る厚さ０．６ｍｍの反射膜形成済光ディスク基板１９５と貼り合わせ基板（ダミー用光ディスク基板）１９６が接着剤５により張り合わされて、１．２ｍｍ厚とされる。接着剤５は例えば紫外線硬化樹脂や接着シートが用いられる。
この場合、反射膜形成済光ディスク基板１９５の一主面が情報記録面Ｌ０とされ、この情報記録面Ｌ０は、ピット２およびランド３による凹凸パターンとして形成されている。また、このピット２およびランド３は、その表面に反射膜４が形成されている。
なお、ピット２とランド３の凹凸関係は逆である場合もある。
【００３１】
反射膜形成済光ディスク基板１９５と貼り合わせられる貼り合わせ基板１９６は、図３（ｂ）ではダミー用光ディスク基板（反射膜が被覆されていないディスク基板）としている。これは、上述したように、反射膜形成済光ディスク基板や、半透過反射膜形成済光ディスク基板を貼り合わせ基板１９６として用いても良い。
接着剤５は光透過性であるのが一般的であるが、構造によっては光透過性でなくてもよい。反射膜形成済み光ディスク基板１９５と接着された貼り合わせ基板１９６が、反射膜あるいは半透過反射膜を有している場合は、その接着面は反射膜あるいは半透過反射膜が形成されている面となる。
【００３２】
次に図４（ａ）に追記マークが形成された部分の拡大図を示し、また図４（ａ）の破線部分の模式的な断面図を図４（ｂ）に示す。
図４（ａ）の例では、エンボスピットとランドのピット列で形成される１トラック内の一部の領域が追記エリア１０とされ、ここに上述の追記工程で形成された追記マーク６による記録データ列が形成されている。つまりディスク固有の追加的付加情報などの追加情報が追記マーク６による記録データ列として記録されたものである。
なお、説明上、エンボスピット２とランド３によるピット列との区別のため、追記マーク６とランド３による記録データ列を「追記マーク列」と呼ぶこととする。
【００３３】
追記マーク列が形成された部分は、図４（ｂ）に示すように、基本的な層構造は図３（ｂ）と同様となるが、情報記録面Ｌ０の一部に追記マーク６が形成されている。即ち追記マーク６は、金属合金反射膜４が消失又は低減されて、ほとんど存在しない状態となるようにして形成されたものである。
【００３４】
図５（ａ）（ｂ）は、上述した追記工程で追加情報が記録される前の様子を図４（ａ）（ｂ）に対応させて示したものである。
図５（ａ）に示すように、追記エリア１０は、無変調区間としてピット２、ランド３による凹凸パターンが形成されていない平面形状領域とされている。図５（ｂ）からわかるように、この追記エリア１０は、ランド３と同一平面上に存在し、反射膜４が被覆されていわゆるミラー部となっている。
このような追記エリア１０に対して、追記工程において追加情報が記録される。
上述した追加情報記録装置１５０は、例えば高出力赤色半導体レーザを用いた専用の記録装置として用意され、所望の区間で記録用の高出力レーザパルスを発光させる機能とを有する。そして図５の状態の追記エリア１０に対して記録を行って、図４のように追記マーク６を形成する。その際の発光パターンの変調は、エンボスピット列に対応した変調と同じ変調方式として、ＥＦＭ＋信号が用いられる。
【００３５】
図６は再生専用型光ディスク９０における追記エリア１０への追加情報の記録として、高出力レーザを入射して追記マーク６を形成したサンプルの様子を示している。これは、追記マーク６が形成された追記エリア１０のＳＥＭ（走査型電子顕微鏡）観察写真である。
ＳＥＭ観察時には反射膜形成済光ディスク基板１９５と貼り合わせ基板１９６（ダミー用光ディスク基板）とを接着面で剥がし、反射膜４がむき出しになった部分へ電子線を入射して観察した。反射膜４としては、Ａｌを基合金としてＦｅを約１原子％、Ｔｉを約５原子％含有したＡｌ合金を用いた。
この図６からわかるとおり、追記エリア１０に形成されている金属合金反射膜が追加情報の変調信号に応じて消失或いは減少されて楕円形状に穴が空き、ピットに対応した追記マーク６が綺麗に形成されていることがわかる。
【００３６】
このような追記マーク６による追記マーク列の記録を行う追加情報記録装置１５０の構成例を図７で説明する。
図７は追加情報記録装置のブロック図である。追加情報記録装置１５０は、追記制御演算部２１、書込ピックアップ２２、読取ピックアップ２３、スピンドルモータ２４、書込制御部２５、読取制御部２６、操作入力部２７を有する。
【００３７】
追記工程で追加情報を書き込む貼り合わせ済光ディスク１９７は、図示しないターンテーブルに載置され、スピンドルモータ２４によって回転駆動される。
この貼り合わせ済光ディスク１９７に対しては、書込ピックアップ２２により追加情報の記録が行われ、また読取ピックアップ２３により、記録したデータの読出が行われる。
書込ピックアップ２２は、例えば波長６６０ｎｍのレーザを出力する。レーザパワーは書込制御部２５からの指示により変更可能とされ、例えば最大１００ｍＷ程度の出力とされる。この書込ピックアップ２２からのレーザにより、貼り合わせ済光ディスク１９７乗に、反射膜４を消失又は低減させた追記マーク６が形成される。
読取ピックアップ２３は、例えば波長６３５又は６５０ｎｍのレーザを出力する。レーザパワーは０．２ｍＷ程度とされる。読取ピックアップ２３は、出力したレーザの反射光を受光し、受光した反射光情報から、貼り合わせ済光ディスク１９７から読み出した情報の信号を得る。
【００３８】
書込制御部２５は、供給されたデータを書込ピックアップ２２により貼り合わせ済光ディスク１９７に書き込むために書込ピックアップ２２の動作を制御する。即ち供給されたデータ（追加情報のエンコードデータ）に基づいてレーザ駆動信号を生成し、書込ピックアップ２２のレーザ出力を実行させる。またその際に、追記制御演算部２１からの指示に基づいてレーザパワーを制御する。また書込制御部２５は書込ピックアップ２２の書込位置の制御やフォーカス制御等を行って、追記制御演算部２１からの指示に基づいた所定位置に追記マーク６の記録を実行させる。
読取制御部２６は、読取ピックアップ２３に、貼り合わせ済光ディスク１９７からの情報読取のためのレーザ出力を実行させるとともに、反射光情報として読み取られた情報のデコード処理を行って、追加情報としてのデコードデータを得る。また読取制御部２６は読取ピックアップ２３の読取位置の制御やフォーカス制御等を行って、貼り合わせ済光ディスク１９７からの情報の読み取りを実行させる。
【００３９】
追記制御演算部２１は、追加情報記録装置１５０として実行する試し書き及び追加情報の記録動作の制御として、スピンドルモータ２４の駆動制御、書込制御部２５に対する動作制御、読取制御部２６に対する動作制御を行う。
図１で述べたように、追記管理部１６０からは、追記エリア１０に書き込むべき追加情報やエリア情報が供給されるが、追記制御演算部２１は、これらを取り込んで、追記工程の動作を実行制御する。この場合、エリア情報とは、追記エリア１０の位置情報（アドレス）となる。
追記制御演算部２１は、このように追記管理部１６０からの情報と、操作入力部２７によるオペレータの操作入力に基づいて、試し書き記録及び追加情報の記録動作を実行制御する。
【００４０】
追加情報の記録を行う際には、追記制御演算部２１は、書込制御部２５に追記エリア１０へのアクセスを指示し、書込ピックアップ２２を追記エリア１０に移送させる。そして追加情報をエンコードしてエンコードデータを書込制御部２５に供給する。さらに、書込の際のレーザパワー等の記録条件も指示する。これにより、書込制御部２５は追加情報としてのエンコードデータに基づいて、追記エリア１０に追記マーク６を形成していくように書込ピックアップ２２を駆動することになる。
また、この追加情報の記録の際には、追記制御演算部２１は、読取制御部２６にも追記エリア１０へのアクセスを指示し、読取ピックアップ２３による再生を指示する。即ち書込ピックアップ２２で記録した追記マーク６の部分の再生を指示する。これにより、読取ピックアップ２３により追加情報の読取が行われ、読取制御部２６によってデコードされたデータが追記制御演算部２１に取り込まれる。追記制御演算部２１は、デコードデータについてエラーレートを検出するなどの評価を行い、追加情報が適切に記録されたか否かを判定する。
【００４１】
［２．ＥＣＣブロック構成と追加的付加情報の配置］
以上のように追加情報が記録されたＤＶＤとして再生専用型光ディスクが製造されるわけであるが、以下、ＤＶＤ方式のデータフォーマットを考慮して、このような追加情報の記録を適切に実現するための手法を述べていく。
まずここでは、ＥＣＣブロック構成と追加的付加情報の配置について説明する。
【００４２】
図８にＤＶＤデータフォーマットにおけるデータ構造の最小単位であるセクタの構造を図８（ａ）に示す。
セクタは１７２バイト×１２行（row）としての２０６４バイトのデータ単位とされる。そしてこの１つのセクタには、１２バイトのセクタヘッダと、２０４８バイトのユーザデータと、４バイトのＥＤＣ（エラー検出コード）が含まれる。
１２バイトのセクタヘッダには、セクタフォーマットタイプ、トラッキング方式、エリア情報（リードインエリアＬＩ、主データエリアＭＡ、リードアウトエリアＬＯの別）、データタイプ、レイヤナンバなどの属性情報や、アドレス情報などが記録される。
２０４８のユーザデータの領域は、主たる記録データの記録に用いられる。
４バイトのＥＤＣは、セクタ内のエラー検出コードとされる。
【００４３】
このようなセクタが１６セクタ集められて、１つの記録単位であるＥＣＣブロックが形成される。図８（ｂ）にＥＣＣブロック構造を示す。
セクタＳＣ０、ＳＣ１・・・ＳＣ１５の１６セクタに対して、列方向のパリティとして１７２バイト×１６行のＰＯパリティが付加される。
さらに、セクタＳＣ０、ＳＣ１・・・ＳＣ１５及びＰＯパリティの各行について、それぞれ１０バイトの行方向のパリティ（ＰＩパリティ）が付加される。
この１８２バイト×２０８行でＥＣＣブロックが形成される。
【００４４】
このＥＣＣブロックは、図９のようにインターリーブされる。即ち、１６行のＰＯパリティの各行が、図の斜線部として示すように、各セクタＳＣ０〜ＳＣ１５の最終行に組み込まれる。そしてＰＯパリティの行が組み込まれた１８２バイト×１３行の各セクタが、レコーディングセクタｒＳＣ０、ｒＳＣ１・・・ｒＳＣ１５とされる。
【００４５】
さらに、図１１にはレコーディングセクタｒＳＣ０の部分を示しているが、各レコーディングセクタｒＳＣ０、ｒＳＣ１・・・ｒＳＣ１５は、１８２バイトの１行が９１バイトづつに分けられ、９１バイト単位で３２ビットの同期信号ＳＹ（ＳＹ０〜ＳＹ７）が付加される。
この図１１の状態が、最終的にディスクに記録されるデータ構造となる。即ち、この図１１のデータ構造の各１バイト（８ビット）のデータシンボルが、ＥＦＭ＋変調により１６ビットに変換され、そのＥＦＭ＋変調信号に対してＮＲＺＩ方式の論理反転に基づいてピット列が形成されることに成る。
【００４６】
なお、図１１の構造は、光ディスク上のトラック線方向に、各行が順番に連続するものとなる。つまり、光ディスク上では、トラック線方向に、１行目の同期信号ＳＹ０→１行目のセクタヘッダを含む９１バイト→１行目の同期信号ＳＹ５→１行目のＰＩパリティを含む９１バイト→２行目の同期信号ＳＹ１→２行目の９１バイト→２行目の同期信号ＳＹ５→２行目のＰＩパリティを含む９１バイト→３行目の同期信号ＳＹ２→・・・というようにデータが記録される。
【００４７】
ここで本例における、ＥＣＣブロック内での追加的付加情報の配置を述べる。図８（ｂ）のＥＣＣブロック構成を、バイト位置で示したものが図１０である。
１８２バイト×２０８行のＥＣＣブロックは、バイト位置としてＢ0,0〜Ｂ207,181を有する。
ＥＣＣブロック内の最初のセクタＳＣ０のデータは、ＰＩパリティを含めてバイト位置Ｂ0,0〜Ｂ11,181に配置される。
Ｂ0,0〜Ｂ0,11がセクタヘッダとされる。
またＢ0,12〜Ｂ0,171、Ｂ1,0〜Ｂ1,171、Ｂ2,0〜Ｂ2,171、・・・Ｂ10,0〜Ｂ10,171、Ｂ11,0〜Ｂ11,167の２０４８バイトがユーザデータとされる。
またＢ11,168〜Ｂ11,171がＥＤＣとされる。
そしてＢ0,172・・・Ｂ11,181として、各行に１０バイトづつのＰＩパリティが配置される。
【００４８】
バイト位置Ｂ12,0以降は、これと同様の構造でセクタＳＣ１〜ＳＣ１５が配置される。そしてバイト位置Ｂ192,0〜Ｂ207,171に、各列に対して１６バイトづつのＰＯパリティが配置される。
【００４９】
本例では、1又は複数の或るセクタのユーザデータ内において、追加的付加情報の記録領域を確保するものであるが、その場合、追加的付加情報の記録領域を、図１０における斜線部内で確保する。この斜線部は、１６８列〜１７１列の範囲であり、つまりＥＣＣブロック内の各セクタ（ＳＣ０〜ＳＣ１５）において、それぞれＥＤＣ（エラー検出コード）の配置位置と同列となる位置である。
この斜線部内で追加的付加情報の記録を行うようにする理由は以下のとおりである。
【００５０】
まず、ＥＣＣブロックの構造上、ユーザデータの領域であれば、任意のデータを記録することが可能である。
ところが、仮に記録しようとする追加的付加情報が１００バイト程度であったとしても（もちろん１００バイト程度に限られないが）、実際には追加的付加情報の記録に応じて、ＥＤＣやエラー訂正パリティＰＩ，ＰＯの書き換えの必要が生ずる。もちろん一旦エンボスピットパターンを形成してしまえば書き換えはできないため、追加的付加情報を記録しようとする場合、その記録によって影響を受けるパリティ等も、追記として上述した追記マーク６により記録することになる。
【００５１】
例えば或るセクタ内で、ユーザデータとしての或るバイト位置に追加的付加情報の追記を行うとする。
すると、そのセクタの４バイトのＥＤＣが影響を受ける。このため４バイトのＥＤＣの部分は追記エリアに設定し（エンボスピットパターンを形成せず）、ＥＤＣを追記として記録する必要がある。
また、追加的付加情報を記録したバイト位置やＥＤＣと同列のＰＯパリティも、影響を受けるため、これも追記として記録する必要がある。
さらに、追加的付加情報を記録したバイト位置及びＥＤＣと同行のＰＩパリティと、ＰＯパリティの行のＰＩパリティも、影響を受けるため、これも追記として記録する必要がある。
【００５２】
このように、ユーザデータの一部に相当する部分を追記エリア１０として追加的付加情報を追記マークで記録する場合、その追加的付加情報に加えて、それによって影響を受けるセクタのＥＤＣ、ＰＯパリティ、ＰＩパリティの部分も追記エリア１０として形成し、追記マークにより記録する必要がある。
【００５３】
ここで、追記する箇所を最小にすることを考える。
仮に、図１０のセクタＳＣ０内で斜線部以外の例えばバイト位置Ｂ2,0などに追記することを考える。
すると、ＰＯパリティとしては、バイト位置Ｂ2,0と同じ列である０列（Ｂ192,0〜Ｂ207,0）の１６バイトを追記として記録する必要が生じる。さらに、セクタＳＣ０のＥＤＣも追記記録となるが、それによってＰＯパリティの１６８列〜１７１列の各１６バイトも追記記録となる。
【００５４】
つまり、ＰＯパリティは、追加的付加情報の記録位置と同じ列と、ＥＤＣと同じ列が影響を受け、これらの列は追記マークで追記する必要が生じる。ところが逆に考えれば、追加的付加情報の記録位置をＥＤＣ列と同じ列にすれば、ＰＯパリティは、ＥＤＣと同列の１６８列〜１７１列のみが影響をうけることになる。つまり、斜線部として示すようにＥＤＣと同じ列となる範囲内において追加的付加情報の記録領域を設定すれば、ＰＯパリティとしては影響を受ける範囲を最小化することができる。具体的には、ＰＯパリティは、セクタのＥＤＣと同じ列の範囲として、破線で囲ったＢ192,168・・・Ｂ207,171の４×１６バイトのみが影響を受ける範囲とすることができる。
【００５５】
即ち、追加的付加情報の記録を行うセクタでは、それをＥＤＣと同じ列において記録するようにすることで、ＥＣＣブロック内での影響を受ける箇所を少なくできる。
そしてその場合、１セクタ内では、斜線部として４バイト×１１行で最大４４バイトの追加的付加情報の記録が可能となる。
１ＥＣＣブロックで考えれば、４４×１６セクタで、最大７０４バイトの追加的付加情報が記録可能となる。
【００５６】
なお実際には、追加的付加情報として記録する識別情報等のデータサイズ（バイト数）によって、追加的付加情報の配置位置を設定すればよく、１セクタ内の斜線部の４４バイトを全て追加的付加情報の記録に当てる必要はない。例えば１セクタ内で４バイト（１行）だけ追加的付加情報の記録に当て、これを１６セクタにより１ＥＣＣブロックで６４バイト記録するような形式としてもよい。
もちろん、ＥＣＣブロック内で、追加的付加情報の記録を行うセクタ数も任意である。さらに、追加的付加情報を複数のＥＣＣブロックにまたがって記録を行うことも可能である。
どのようなデータサイズの追加的付加情報を、どのようにセクタを用いて記録するかは全く任意であるが、いずれにしても、各セクタにおいてＥＤＣと同列の範囲のバイト位置を用いて、追加的付加情報を記録するようにすればよい。
【００５７】
［３．追記エリアの開始部分の整合］
次に、追記エリア１０の開始部分での整合を考える。
上述したように、追記工程に供される貼り合わせ済光ディスク１９７には、すでにエンボスピットパターンとしてのピット列が形成されており、その一部が追記エリア１０として平面形状領域とされている。
ここで考慮しなければならないのは、追記エリア１０に隣接する既設のピット列の状況（つまり追記エリア１０の直前の隣接部がランドかピットか、また、ランド／ピットの変換点か）に対し、任意の追記マークを常に問題なく追記するには追記情報のデータをどのように形成すればよいか、と言うことである。
【００５８】
図１１には、或るレコーディングセクタｒＳＣ０において、ＥＤＣと同列の各行４バイトを全て追加的付加情報の記録に用いると仮定した場合における追記エリア１０に相当する位置を示している。
この場合、図１１の斜線部に相当することになる光ディスク（貼り合わせ済光ディスク１９７）上の領域が、追記エリア１０とされることになる。
即ち第１行目から第１２行目までの各行のユーザデータのうちのＥＤＣと同列の４バイトと、第１２行目のＥＤＣの４バイトと、インターリーブで第１３行目となるＰＯパリティのうちのＥＤＣと同列の４バイトのＰＯパリティと、第１行目から第１３行目までの各行の各１０バイトのＰＩパリティの部分が、追記エリア１０に含まれ、これらが追記マーク６による追記マーク列で記録される。
なお、後述するが、ＰＩパリティの直後に続く同期信号ＳＹの一部（１０ビットのシンクＩＤ）の位置も追記エリア１０に含まれるようにされ、この１０ビットも追記マーク６による記録が行われる。
従って、１つの追記エリア１０は、４バイトのユーザデータ（又はＥＤＣ、又はＰＯパリティ）と、１０バイトのＰＩパリティと、１０ビットのシンクＩＤを記録する領域となり、ＥＦＭ＋変調により１シンボル（セクタ構造内の１バイト）は１６ビットとして記録されるため、光ディスク上としては２３４ビットの領域となる。
【００５９】
ここで、追記エリア１０の開始部分の直前とは、図中「５４」と付した位置となる。
本例では、追記エリア１０の直前のピット列、つまりピット列から追記エリア１０に至部分の最後のピットパターンは、データシンボル「５４」もしくは「４７」のコードワードによるものとする。このため図では斜線部としての追記エリア１０の直前に「５４」と記載しているが、これは「４７」としてもよい。
以下、この理由について説明する。
【００６０】
まず追記エリア１０に追記する場合には、その直前のエンボスピット列がランド３で終了しており、ランド３のつながりを持って追記マーク列の記録を開始したいという事情がある。
仮に図１２（ａ）のような状況を考える。
図１２（ａ）では、或るデータシンボルをＥＦＭ＋変調したコードワード「００１０００００１００００１００」がエンボスピットパターンとしてのピット列の終端であるとし、図のようにピット２，ランド３によるピット列が形成されていたとする。
ここで追記エリア１０には或るコードワード「０１００・・・・」から記録が開始されることとなったとする。
この場合、ＮＲＺＩ方式の論理反転に基づくと、図のように追記エリア１０の先頭で、ピット２と連続した追記マーク６を形成しなければならない。さらに、「１」で論理反転するため、その追記マーク６は２Ｔの長さとしなければならない。
【００６１】
例えばこのような状況として、追記エリア１０の書き始めで、直前のピット２と連続する追記マーク６を形成する場合がある。
この図１２（ａ）の例では最初の追記マーク６は２Ｔの長さとしているが、長さが２Ｔ以下であろうと３Ｔ以上であろうと、ピット２に連続して追記マーク６を形成する場合、その繋ぎ目をうまく処理することが必要である。例えば直前のピット２と重なり部分を生じさせるように、やや早めにレーザ発光を開始させるような、専用のライトストラテジを用意する必要がある。
ところが、追記エリア１０の書き始めに専用のライトストラテジを実行しなければならないことでの処理の煩雑化が生ずることや、そもそも重なり部分を生じさせるような書込により、ピット２と追記マーク６がきれいにつながるかは完全には保証できない。
【００６２】
またこの図１２（ａ）のように、最初の追記マーク６を２Ｔの長さで形成しなければならない場合、追記エリア１０での書き始めに２Ｔ以下のレーザ発光させることになる。ところが、追記において１Ｔや２Ｔのように短い時間の追記マーク／ランド形成を正確に制御することは難しい。
もし追記エリア１０の書き始めで２Ｔ以下のレーザ発光が発生しないようにするためには、書き始めのシンボルとして先頭３ビットで反転しないものを選択する必要がある。ところがそのためには非常に複雑な処理が必要となる。
【００６３】
これらのことから、追記エリア１０において追記マーク６から記録を開始することは避けることが望まれる。従って、追記エリア１０に追記する場合には、その直前のエンボスピット列がランド３で終了しており、ランド３のつながりを持って追記マーク列の記録を開始したいということになる。例えば図１２（ｂ）のように、追記エリア１０の直前がランド３で終了していれば、追記エリア１０の書き始めをランド３で開始することができる。
例えばこのようなランド繋がりとすれば、専用のライトストラテジを用意する必要もなく、また追記エリア１０の書き始めのシンボルとして先頭３ビットで反転しないものを選択したいということも不問となる。
【００６４】
そこで次に、追記エリア１０の先頭を、ランド繋がりで開始されるようにすることを考える。換言すれば、追記エリア１０の直前のピット列がランド３で終了するようにすることを考える。
さらに言えば、追記エリア１０の直前のエンボスピット列の最後のコードワードとしてランド３で終わる状況を選択できるようにする。
【００６５】
追記エリア１０をランド３で開始するには、追記エリア１０の直前のデータシンボルのコードワードによるピット列がランド３で終わっていればよい。ところが、追記エリア１０の直前のコードワードの終わり方は、さらにその直前のデータシンボルのコードワードの終わり方に影響される。つまり「１」でＨ／Ｌ論理が反転するＮＲＺＩ方式であるため、追記エリア１０の直前のコードワードの最初がＨであるかＬによって（即ちさらにその直前のコードワードがＨで終わるかＬで終わるかによって）、最後がピット２となるかランド３となるかが不定である。これは各データシンボルによりコードワードの極性反転回数が異なり、回数が奇数か偶数かで終わりの極性が変わる為である。
【００６６】
この場合に、追記エリア１０の直前が必ずランド３で終わるようにするには、追記エリア１０の直前のデータシンボルは、そのコードワードが、さらにその前のデータシンボルに応じて極性反転の回数の偶数奇数を選択できるものが適切となる。つまり、ＥＦＭ＋変調の際に、反転回数が偶数のコードワードと反転回数が奇数のコードワードとを任意に選択できる（ポラリティ操作できる）データシンボルであることが必要である。
【００６７】
ここでＥＦＭ＋変調の変換テーブルを検討する。
ＤＶＤデータフォーマットでは、ＥＦＭ＋変調に関して、図１４に一部抜粋して示すメイン変換テーブルと、図１５に一部抜粋して示すサブ変換テーブルが規定されている。
【００６８】
まず図１４のメイン変換テーブルについて説明する。
メイン変換テーブルでは８ビット（１バイト）のデータ値としてのデータシンボル「０」〜「２５５」を、ＥＦＭ＋変調で変換する１６ビットのコードワードが規定されている。
また１つのデータシンボルに対応するコードワードとしてはステート１，ステート２，ステート３，ステート４の４種類のコードワードが規定されている。
さらに各コードワードについては、ネクストステートとして、「１」〜「４」のいずれかが決められている。
ネクストステートは、次のデータシンボルについて、どのステートのコードワードを用いるかを示したものである。
【００６９】
例えばデータシンボル「０」「８８」「４９」「２５５」というデータ列をＥＦＭ＋変調する場合を考える。
最初にデータシンボル「０」をステート１のコードワード「００１０００００００００１００１」に変換したとする。なお、記録データの一番最初のデータシンボルについて、どのステートのコードワードを用いるかは任意である。
このデータシンボル「０」のステート１のコードワードは、ネクストステートが「１」とされている。そのため次のデータシンボル「８８」は、ステート１のコードワード「０００１０００１０００１００００」に変換する。
またデータシンボル「８８」のステート１のコードワードは、ネクストステートが「３」とされている。そのため次のデータシンボル「４９」は、ステート３のコードワード「１０００００００１０００１０００」に変換する。
またデータシンボル「４９」のステート３のコードワードは、ネクストステートが「２」とされている。そのため次のデータシンボル「２５５」は、ステート２のコードワード「０１００００１００００１００１０」に変換する。
ＥＦＭ＋変調では、このように、ネクストステートで規定されるステートで、各データシンボルのコードワードが選択されていく。これは、各データシンボルのつなぎ目がランレングス制限に適応するようにするためである。
【００７０】
ここでデータシンボル「０」〜「８７」に関しては、図１５に示すサブ変換テーブルが規定されている。
サブ変換テーブルも、１つのデータシンボルに対応するコードワードとしてはステート１，ステート２，ステート３，ステート４の４種類のコードワードが規定されている。
さらに各コードワードについては、ネクストステートとして、「１」〜「４」のいずれかが決められている。
データシンボル「０」〜「８７」については、このサブ変換テーブルが設けられることで、合計８個のコードワードが選択可能とされる。そしてサブ変換テーブルのコードワードはメイン変換テーブルと合わせて用いることができる。
例えば上記のように、データシンボル「８８」のコードワードでネクストステート「３」が指定され、次にデータシンボル「４９」となる場合は、メイン変換テーブルのステート３のコードワード「１０００００００１０００１０００」の他に、サブ変換テーブルのステート３のコードワード「１００１０００００００１０００１」を選択してもよいことになっている。
【００７１】
このサブ変換テーブルは、ピット／ランドの平均的な比を調節することで、再生ＲＦ信号のＤＣオフセット成分を調整するために設けられているものである。
即ち同じデータシンボルと同じステートで見ると、必ずメイン変換テーブルとサブ変換テーブルでは、反転回数（「１」の数）が偶数／奇数で異なるようにされている。これによって例えばメイン変換テーブルのみを使用すると、記録トラック上でピット２の領域がランド３の領域に比べて多くなるような記録データの場合、部分的にサブ変換テーブルを利用して論理反転回数を調節し、ランド部分とピット部分が同等となるようにすることができる。
【００７２】
ＥＦＭ＋変調は、このメイン変換テーブルとサブ変換テーブルを用いて行われるが、ここで上述した、ポラリティ操作ができるデータシンボルを考える。
追記エリア１０の直前のピット列がランド３で終了するには、直前のピット列の最後のコードワードが、論理反転回数（「１」の数）として偶数、奇数を選択できるものであればよい。つまりこれは、メイン変換テーブルとサブ変換テーブルのうちからコードワードを選択できるものであればよいことを意味する。
従って直前のピット列の最後のデータシンボルが「０」〜「８７」の範囲内の値であればよいということになる。
【００７３】
ここでステート情報のことをさらに考慮する。
上述のようにＥＦＭ＋変換の際には、データシンボルのコードワードは、直前のコードワードのネクストステートによって、ステートが規定されて選択される。
これは、当然エンボスピット列の最後のコードワードと、追記マーク６と最初のコードワードの間にも適用されなければならない。
すると、追記エリア１０に書込を行おうとする際には、追加情報記録装置１５０は、既に形成されている直前のエンボスピット列の最後のコードワードのネクストステートの情報を把握し、それに基づいてステートを選択してＥＦＭ＋変換を行わなければならないことになる。これは、全体の製造システム的にも処理が煩雑化するとともに、例えば追加情報記録装置１５０を、図１の製造工程を行う工場内ではなく、別の場所、別の時点で用いるような汎用的な使用が困難になる。
ところが、追記エリア１０の最初のコードワードを、必ず特定のステートとしてよいこととすれば、追加情報記録装置１５０は、直前のエンボスピット列の最後のコードワードのネクストステートの情報を考慮する必要はなくなる。
【００７４】
すると、メイン変換テーブルとサブ変換テーブルにおける８個のステートにおいて、ネクストステートが全て同じものがあればよいということになる。
これに該当するものが、図１４，図１５において枠で囲って示した「４７」と「５４」である。この「４７」と「５４」は、メイン変換テーブルとサブ変換テーブルに示されるコードワードの全てでネクストステート「１」が指定されている。
そして、追記エリア１０の直前のデータシンボルが「４７」又は「５４」のいずれかであれば、追記エリア１０の書き始めのコードワードは、必ずステート１を選択すればよいものとなる。
【００７５】
このように追記エリア１０の始まりのステートがステート１として統一されていれば、各追記エリア１０の開始部分のステート情報を追加情報記録装置１５０に伝達する必要が無いことになる。例えば、追記エリア１０の直前のピット列の最後が「５４」又は「４７」以外であると、追加情報記録装置１５０は、そのピット列の最後のコードワードのネクストステートの情報を取得しなければ、適切にステートを選択することができない。ところが、ステート１として統一されていることで、ネクストステートとしての指定情報を追記管理部１６０から受け取ることは必要なくなる。
これは追加情報記録装置１５０の処理を簡易化させるだけでなく、システムの拡張にも好適である。
【００７６】
結局、追記エリア１０の直前のピット列の最後が「４７」又は「５４」のデータシンボルとされているようにすれば、特に複雑な処理やステート情報の転送を行うことなく、追記エリア１０の開始部分で直前のピット列と整合のとれたデータ記録を行うことができ、かつランド３を先頭として形状の安定した追記マーク列を形成できるということになる。
なお、ＥＦＭ＋変換のメイン変換テーブル及びサブ変換テーブルにおいて、全てのデータシンボルのステート１のコードワードは、先頭２ビットが「００」であるため、追記エリア１０の先頭は必ず２Ｔ以上のランド３から開始されることになる。
【００７７】
データシンボル「５４」のコードワードを、追記エリア１０の直前のピット列の最後のコードワードとした状態を、図１３（ａ）（ｂ）に示す。
図１３（ａ）（ｂ）は、「５４」のデータシンボルについて、ステート１のコードワードが選択された場合を示している。これは、さらにその前のコードワードにおいてステート１が指定されていた場合である。もちろんこの「５４」についてはステート２〜ステート４のコードワードが選択される場合もあり得る。
ここで、図１３（ａ）は、「５４」のコードワードが、さらにその直前のコードワードの最後が「Ｌ」とされていたことから、「Ｌ」論理で開始された場合を示している。
一方、図１３（ｂ）は、「５４」のコードワードが、さらにその直前のコードワードの最後が「Ｈ」とされていたことから、「Ｈ」論理で開始された場合を示している。
もし、「Ｌ」論理で開始される場合、ピット列をランド３で終わらせるためには、「５４」のコードワードをメイン変換テーブルから選択すればよい。「５４」のメイン変換テーブルのステート１のコードワードは「００１０００００１００１００１０」であり、反転回数が偶数である。このため、図示するようにピット２，ランド３が形成され、終端はランド３となる。
一方、「Ｈ」論理で開始される場合、ピット列をランド３で終わらせるためには、「５４」のコードワードをサブ変換テーブルから選択すればよい。「５４」のサブ変換テーブルのステート１のコードワードは「００００００１０００１００００１」であり、反転回数が奇数である。このため、図示するようにピット２，ランド３が形成され、終端はランド３となる。
このようにメイン変換テーブルとサブ変換テーブルで選択可能で、反転回数の偶数／奇数を選択できることが、上記したポラリティ操作ができるデータシンボルであり、これによって、それまでのデータシンボルにかかわらず、ピット列をランド３で終了できる（つまり追記エリア１０の記録をランド繋がりの状態で開始できる）ということになる。
もちろんこの「５４」として、その直前のコードワードによりステート２，ステート３、ステート４のいずれかが指定されていたとしても、開始する論理に応じて、メイン変換テーブルとサブ変換テーブルのうちでコードワードを選択し、終端がランド３で終わるようにすればよい。
【００７８】
ここではデータシンボル「５４」について例示したが、「４７」についても同様である。
従って、図１１に示したように、斜線部として示す追記エリア１０の直前のピット列が、データシンボル「５４」又は「４７」とされることで、追記エリア１０の開始部分で適切な追記が可能となる。
より具体的に言えば、例えば図１０のバイト位置Ｂ0,168や、Ｂ1,168などを追記エリア１０の先頭とする場合、それらの直前のバイト位置Ｂ0,167や、Ｂ1,167などが、データシンボル「５４」又は「４７」とされるようにセクタデータを設定すればよいものとなる。
【００７９】
また、追記エリア１０において追記マーク６をレーザ等の発光で記録する場合、始まりのデータシンボルの極性がランドからであると、２Ｔ以下の発光が抑制され、追加情報記録装置１５０のレーザ駆動回路の周波数特性、光学系のＭＴＦ設計に余裕が生まれると共に、１Ｔ、２Ｔのライトストラテジの検討が不要となるという利点も得られる。
【００８０】
［４．追記エリアの終端部分の整合］
続いて追記エリア１０の終端部分の整合について述べる。
図１１に示したように、レコーディングセクタの構造としては、９１バイト単位毎に同期信号ＳＹが付加されている。
そして同期信号ＳＹとしては、ＳＹ０〜ＳＹ７の８種類が規定され、図１１に示す順序（ＳＹ０→ＳＹ５→ＳＹ１→ＳＹ５→ＳＹ３→ＳＹ５→ＳＹ４→・・・）で９１バイト単位のデータに対して付加される。
この各同期信号ＳＹ０〜ＳＹ７の並び順はセクタ内でユニークである。例えば「ＳＹ０→ＳＹ５」「ＳＹ５→ＳＹ１」「ＳＹ１→ＳＹ５」というそれぞれの並びはセクタ内で１カ所しか表れない。このため前後の同期信号ＳＹの並びによってセクタ内の位置が検出できるものとされている。
【００８１】
ここでセクタ内で、追加的付加情報及びＥＤＣと、影響を受けるＰＯパリティ、ＰＩパリティを追加情報として書き込むと、図１１の斜線部が追記エリア１０となると先に述べた。
そしてＰＩパリティに続いては同期信号ＳＹが配置されるため、各追記エリア１０の直後は同期信号ＳＹとなる。ここで本例では、図１１の斜線部で示すように同期信号ＳＹの最初の１０ビットの部分も、追記エリア１０に含めるようにし、追記マーク列により記録するようにして、追記エリア１０の終端部分で適切に整合がとれるようにする。
【００８２】
ここでＤＶＤデータフォーマットにおける同期信号ＳＹについて説明する。
同期信号ＳＹは、図１６に示すように３２ビットのシンクコードで形成される。そして３２ビットのうちの最初の１０ビットがシンクＩＤとされ、残りの２２ビットがシンクボディとされる。
シンクＩＤは、同期信号ＳＹ１〜ＳＹ７を区別する識別コードである。またシンクボディは同期信号ＳＹ１〜ＳＹ７において共通の２２ビットパターン「０００１０００００００００００００１０００１」とされる。即ち同期信号特有の１４Ｔパターンを含むコードである。
【００８３】
そして各同期信号ＳＹ１〜ＳＹ７は、それぞれ図１７に示すように４パターンが規定されている。
まず、同期信号ＳＹの直前のコードワードにおいて、ネクストステートが「１」又は「２」と指定されている場合は、図１７の上段に示すプライマリシンクコードか、セカンダリシンクコードが用いられる。
また、同期信号ＳＹの直前のコードワードにおいて、ネクストステートが「３」又は「４」と指定されている場合は、図１７の下段に示すプライマリシンクコードか、セカンダリシンクコードが用いられる。
プライマリシンクコードとセカンダリシンクコードの関係は、上述したメイン変換テーブルとサブ変換テーブルの関係と同様に、論理反転回数が奇数／偶数で選択できるものとされている。
【００８４】
この図１７からもわかるように、全てのシンクコードにおいて２２ビットのシンクボディは共通であり、先頭１０ビットのシンクＩＤとして、各同期信号ＳＹ１〜ＳＹ７は、それぞれ４パターンが規定されていることになる。
【００８５】
ここで追記エリア１０の終端部分を、適切にピット列に繋げることを考える場合、シンクＩＤとシンクボディを切り離して考慮することが好適となる。
つまり、シンクＩＤの部分は、その直前のコードワードのネクストステートの指定に応じて選択されることになるため、結局追加情報を記録した後でなければ選択できない。
一方、シンクボディの部分は、どのシンクコードが選択されようともコードパターンは同じである。
このことから、追記エリア１０の終端をシンクＩＤで終了させ、追記エリア１０に続くピット列は、シンクボディの部分から開始されるようにすればよいことが理解される。
つまり図１の貼り合わせ済光ディスク１９７の段階では、平面形状領域としての追記エリア１０として、シンクＩＤの部分まで含むように形成し、その平面形状領域に続いて、シンクボディのエンボスピットパターンを形成しておくようにする。
【００８６】
但しその場合、シンクボディのエンボスピット列の最初が、ランド３で始まるかピット２で始まるかがわからなければ、シンクボディを形成できないことになるが、逆に言えば、シンクボディの先頭をランド３とするかピット２とするかを予め決定しておけば、シンクＩＤのパターンの選択（プライマリシンクコードかセカンダリシンクコードかの選択）により整合を取ることができる。
例えば追記エリア１０の直後のシンクボディの先頭（つまりシンクコードの１１ビット目）はランド３とすると規定しておけば、１１ビット目〜３２ビット目までのシンクボディは、１４ビット目から２７ビット目を１４Ｔピットとして作成しておけばよい。
また逆に、追記エリア１０の直後のシンクボディの先頭はピット２とすると規定しておけば、１１ビット目〜３２ビット目までのシンクボディは、１４ビット目から２７ビット目を１４Ｔランドとして作成しておけばよい。
【００８７】
追記エリア１０の直後のシンクボディは、ランドから始めると規定した場合について、追記エリア１０の終端部分の様子を図１８に示す。
図１８（ａ）は、追記エリア１０が未記録の状態（つまり貼り合わせ済光ディスク１９７の段階）であり、追記エリア１０に続くピット列としては、シンクコードの１１ビット目以降がランド３から開始されて１４Ｔのピット２が形成されている様子を示している。
このような場合に、追記エリア１０に追記マーク列を記録し、その終端部に同期信号ＳＹ１のシンクＩＤを記録するとする。
またこのとき、同期信号ＳＹ１の直前に追記したコードワードにおいてネクストステートが「１」又は「２」であったとする。すると、図１７上段の同期信号ＳＹ１のシンクコードを選択することになる。ここで、ピット列はランド３で開始されている状態で既に形成されているため、シンクＩＤの部分がランド３でシンクボディに連続するようにすればよい。
即ち、もしシンクＩＤの書き始めにおいて「Ｈ」論理であったとしたら、図１８（ｂ）のように、同期信号ＳＹ１のプライマリシンクコード「０００００１００００」を選択する。これにより図のように追記マーク６及びランド３が形成され、直後のシンクボディに対して論理矛盾無くつながることになる。
一方、シンクＩＤの書き始めが「Ｌ」論理であったとしたら、図１８（ｃ）のように、同期信号ＳＹ１のセカンダリシンクコード「０００００１０００１」を選択する。これにより図のように追記マーク６及びランド３が形成され、この場合も直後のシンクボディに対して論理矛盾無くつながることになる。
【００８８】
また、追記エリア１０の直後のシンクボディは、ピットから始めると規定してもよいが、その場合の追記エリア１０の終端部分の様子を図１９に示す。
図１９（ａ）は、追記エリア１０が未記録の状態（つまり貼り合わせ済光ディスク１９７の段階）であり、追記エリア１０に続くピット列としては、シンクコードの１１ビット目以降がピット２から開始されて１４Ｔのランド３が形成されている様子を示している。
このような場合に、上記図１８と同じく追記エリア１０の終端部に同期信号ＳＹ１のシンクＩＤを記録するとする。また同期信号ＳＹ１の直前に追記したコードワードにおいてネクストステートは「１」又は「２」であり、図１７上段の同期信号ＳＹ１のシンクコードを選択することになったとする。
この場合、ピット列はピット２で開始されている状態で既に形成されているため、シンクＩＤの部分がピット２でシンクボディに連続するようにすればよい。
即ち、もしシンクＩＤの書き始めにおいて「Ｈ」論理であったとしたら、図１９（ｂ）のように、同期信号ＳＹ１のセカンダリシンクコード「０００００１０００１」を選択する。これにより図のように追記マーク６及びランド３が形成され、直後のシンクボディに対して論理矛盾無くつながることになる。
一方、シンクＩＤの書き始めが「Ｌ」論理であったとしたら、図１９（ｃ）のように、同期信号ＳＹ１のプライマリシンクコード「０００００１００００」を選択する。これにより図のように追記マーク６及びランド３が形成され、この場合も直後のシンクボディに対して論理矛盾無くつながることになる。
【００８９】
つまり、追記エリア１０においてシンクＩＤまでを追加記録するようにするとともに、その直後のピット列としてのシンクボディがランドで始まるかピットで始まるかのどちらかに規定しておけば、シンクボディをエンボスピットパターンで予め形成できるとともに、追記の際に、追記エリア１０の終端部分で適切にシンクＩＤを選択することで、追記エリア１０の終端部分と、それに続くピット列との整合を取ることができる。
【００９０】
［５．ＰＯ補償シンボルの配置］
次に、ＰＯ補償シンボルについて説明する。
上述のように、追記エリア１０の直前には、エンボスピット列によるコードワード「５４」又は「４７」を配置する。以降、コードワード「５４」又は「４７」を、「ポラリティ制御シンボル」という。
ＰＯ補償シンボルは、ポラリティ制御シンボルを配置することに応じて、ＰＯパリティの整合のために必要になるシンボルである。
【００９１】
図２０〜図２５にＥＣＣブロックにおける各種のＰＯ補償シンボル配置例を示す。
図２０〜図２５においては、追加的付加情報としてＰＩＤ（ディスク個別の識別情報）がＥＤＣと同列の４バイトに追記記録される場合のＥＣＣブロックを示している。
斜線を付した部分が追記マークによるＰＩＤ、ＥＤＣ、ＰＯパリティ、ＰＩパリティ等の追加情報の記録部分である。
ポラリティ制御シンボルは「５４」で表している。なお、以降の説明では全てポラリティ制御シンボルは「５４」と表すがコードワード「４７」でも良いことは上述のとおりである。
また「Ｘ」はＰＯ補償シンボルを表している。
【００９２】
図２０では、ＰＩＤをセクタＳＣ１５におけるＥＤＣと同列の４バイトに記録する例としている。つまりＰＩＤを最終セクタから上方に配置するものである。５バイト以上の追加的付加情報を記録する場合は、順次ＥＤＣと同列の４バイトを上方に向かって用いる。
斜線を付した追記マーク記録部分の直前は、全てポラリティ制御シンボル「５４」が配置される。
【００９３】
この場合において、ＥＣＣブロック内で、ポラリティ制御シンボルと同列となる１６カ所の位置にＰＯ補償シンボルが配置される。
例えば１６行の範囲のＰＯパリティの部分では、各行で、追記マーク記録部分の直前にポラリティ制御シンボル「５４」が配置される。つまりこの列では、１６個のＰＯパリティが「５４」に固定されてしまうことになる。従って、ＰＯパリティが、このような値になるように補償されなければならない。このため、同列に１６個のＰＯ補償シンボル「Ｘ」が配置されるようにする。
この場合、セクタＳＣ０からＳＣ１の途中までにＰＯ補償シンボル「Ｘ」が１６個連続して配置されるようにしている。
【００９４】
なお、この図２０の場合は、ＰＩＤ、ＥＤＣの追記部分の直前のポラリティ制御シンボル「５４」に応じて、同列のＰＯパリティとしてＰＯ補償シンボル「Ｘ」が形成されるが、これは追記マークとして記録される。
この図２０の例の場合は、セクターＳＣ０，ＳＣ１におけるＰＯ補償シンボル「Ｘ」がＰＩＤ直前のポラリティ制御シンボル「５４」の配置列の１つ前の列であるたため、ＰＩＤ等の追加的付加情報を最大７０４バイト記録することが可能である。つまり１セクタは１２行であり、ＥＤＣを除く１１行において各４バイトを追記に用いることができる。従って１１×４（バイト）×１６（セクター）＝７０４バイトとなる。
【００９５】
図２１は、ＰＯ補償シンボル「Ｘ」を、ＰＩＤ等の直前のポラリティ制御シンボル「５４」と同列とした例である。
ＰＩＤ、ＥＤＣ、ＰＯパリティの各追記部分の直前はポラリティ制御シンボル「５４」が配置される。このポラリティ制御シンボル「５４」と同列において、先頭のセクタＳＣ０〜ＳＣ１の範囲に１６個のＰＯ補償シンボル「Ｘ」が連続して配置される。
この場合はセクタＳＣ０〜ＳＣ１においてＰＯ補償シンボル「Ｘ」が配置される行は、追記エリアとして４バイトは確保できない。１バイトはポラリティ制御シンボル「５４」として確保しなければならないため、セクタＳＣ１の１１行とセクタＳＣ２の４行では最大３バイトとなる。従って、追加的付加情報の記録は最大６８９バイトとなる。
【００９６】
図２２は、ＰＩＤを任意のセクターに記録する例である。ここではセクターＳＣ１の或る行にＰＩＤを書き込む例としている。
ＰＯ補償シンボル「Ｘ」は、最終セクターＳＣ１５からセクターＳＣ１４の途中まで１６個連続して配置することとしている。
ＰＩＤ等の追加的付加情報は最大７０４バイト記録することが可能である。
【００９７】
図２３は、ＰＩＤを任意のセクターに記録し、またＰＯ補償シンボル「Ｘ」も列の前端や終端ではなく中間に１６個連続して置く例である。一例としてＰＩＤ記録を行うセクターＳＣ１にも、ＰＯ補償シンボル「Ｘ」が配置されるようにしている。
【００９８】
図２４は１６個のＰＯ補償シンボル「Ｘ」を複数に分けて配置する例である。
例えばセクターＳＣ１とセクターＳＣ１５において、分けて配置している。
図２５は、１６個のＰＯ補償シンボル「Ｘ」を複数に分け、さらにポラリティ制御シンボル「５４」と同列に配置する例である。
【００９９】
例えば以上のように各種のＰＯ補償シンボル「Ｘ」の配置例が考えられる。もちろんこれ以外の例も各種想定される。
そして、これらのように、追記エリアの直前（特にＰＯパリティ部分）にポラリティ制御シンボル「５４」を配置することが必要なことにより、同列にＰＯ補償シンボル「Ｘ」を配置しなければならない。このことは、当該ＥＣＣブロックは、ＰＩＤ等の追加的付加情報の記録のために専用に割り当てられたＥＣＣブロック、つまりＤＶＤに収録する本来のコンテンツの記録に用いる領域以外のＥＣＣブロックであることが適切となることを意味する。
【０１００】
［６．ＤＶＤのナビゲーションコマンドへの適用］
追記マークによる追加的付加情報の記録を再生専用ＤＶＤに行う場合、一般のＤＶＤプレーヤにおいて、ＰＩＤ等の追加的付加情報を利用できるようにすることが望ましい。例えばプレーヤがＤＶＤが装填されたときにＰＩＤを読み取り、各種の対応処理を行うようにすることで、適切な動作やユーザへの新たな再生態様の提供ができる。
例えばＰＩＤに基づいた著作権保護のための動作や、特定のＰＩＤが付されたディスクに対するスペシャルタイトルの再生動作などが考えられる。
【０１０１】
このような動作を実現するためには、ＤＶＤシステムにおけるナビゲーションコマンドを利用することが考えられる。
本実施の形態では、追加的付加情報としてのＰＩＤを、ナビゲーションコマンドの構造に組み込み、これによってＤＶＤプレーヤがディスクからＰＩＤを読み込むことができるようにする。
【０１０２】
図２６、図２７で本実施の形態の再生専用型光ディスクとしてのＤＶＤに記録されるファイル構造例について説明する。
図２６（ａ）は、図２に示したエリア構造を半径方向に示したものである。図２でも述べたように、内周側からリードインエリアＬＩ、主データエリアＭＡ、リードアウトエリアＬＯとなる。
ユーザデータとして実コンテンツ等が記録される主データエリアＭＡはセクターナンバ「３００００ｈ」から開始される。
本例のディスクでは、実コンテンツを構成するファイルについては、セクターナンバ「２３００００ｈ」（半径位置５５．８３７ｍｍ）までの範囲に記録するものとする。
そしてこのコンテンツ制限としての半径位置以降、リードアウトエリアＬＯの開始位置までの間に、ＰＩＤエリアが形成されることになる。リードアウトエリアＬＯの開始位置はセクターナンバ「２３２１００ｈ」（半径位置５５．９９９ｍｍ）である。
ここでいうＰＩＤエリアとは、追加的付加情報を記録するＥＣＣブロックを含むファイルが記録されるエリアである。このＰＩＤエリアは例えばセクターナンバ「２３１０００ｈ」（半径位置５５．９５２ｍｍ）を開始位置とする。
なお、リードアウトエリアＬＯ内の所定位置には、ＰＩＤエリアでの追記のための試し書きエリアが設けられる場合がある。
【０１０３】
図２７に、ＤＶＤ収録コンテンツとしてのファイル構造例を示す。
ＤＶＤの主データエリアＭＡには、図２７（ａ）に示すように管理情報としてのファイル群を含むＶＭＧと、実コンテンツを構成するファイル群を含むＶＴＳ（Video Title Set）が記録される。
本例の場合、例えばＶＴＳ＃１、ＶＴＳ＃２を実際のコンテンツのファイル群であるとし、ＶＴＳ＃３は、ＰＩＤ記録に用いられるものとしている。
【０１０４】
管理情報としてのＶＭＧは、例えば図２７（ｂ）のように、コントロールデータ、ビデオオブジェクト、バックアップとしてのファイル「VIDEO_TS.IFO」「VIDEO_TS.VOB」「VIDEO_TS.BUP」を有する。
コントロールデータのファイル「VIDEO_TS.IFO」には、各ＶＴＳの管理や再生制御情報等が記録される。
ビデオオブジェクトのファイル「VIDEO_TS.VOB」には、再生時のメインメニュー画面等のビデオオブジェクトが記録される。
バックアップファイル「VIDEO_TS.BUP」は、コントロールデータのファイル「VIDEO_TS.IFO」のバックアップとして同一内容が記録される。
【０１０５】
ＶＴＳ（ビデオタイトルセット）は、図２７（ｃ）のようにコントロールデータ、ビデオオブジェクト、バックアップとしてのファイルを有する。
コントロールデータのファイルには、当該ビデオタイトルセットの再生管理情報等が記録される。
ビデオオブジェクトは実際のコンテンツ映像等を構成するファイルである。コンテンツ映像等に加えてタイトルメニューなどの映像ファイルが加わる場合もある。
バックアップのファイルには、コントロールデータのバックアップとして同一内容が記録される。
説明上、ＶＴＳ＃３の場合、これらのファイルとして、コントロールデータのファイル「VTS_03_0.IFO」、ビデオオブジェクトのファイル「VTS_03_0.VOB」、バックアップファイル「VTS_03_0.BUP」を有するものとする。図示していないが、ビデオオブジェクトのファイルが２つとなる場合、「VTS_03_1.VOB」等も含まれる。
【０１０６】
また、ＶＴＳ＃１の場合、これらのファイルとして図２６（ｂ）に示すように、コントロールデータのファイル「VTS_01_0.IFO」、ビデオオブジェクトのファイル「VTS_01_0.VOB」、バックアップファイル「VTS_01_0.BUP」を有するものとする。同様にＶＴＳ＃２の場合、コントロールデータのファイル「VTS_02_0.IFO」、ビデオオブジェクトのファイル「VTS_02_0.VOB」、バックアップファイル「VTS_02_0.BUP」を有するものとする。ＶＴＳ＃１、＃２もビデオオブジェクトのファイルはタイトルメニュー等の映像ファイルを加えて複数となる場合もある。
【０１０７】
これらのＶＴＳにおけるコントロールデータとしては、図２７（ｃ）に例示するように、「VTSI_MAT」「VTS_PTT_SRPT」「VTS_PGCIT」「VTSM_PGCI_UT」・・・等の情報を含む。
例えば「VTSI_MAT」はビデオタイトルセットの情報管理テーブル、「VTS_PTT_SRPT」はビデオタイトルセットのサーチポインタのテーブル、「VTS_PGCIT」はビデオタイトルセットのプログラムチェインの情報のテーブルである。
ここで、上述したナビゲーションコマンドは、プログラムチェインの情報内に記述されるものとなる。
【０１０８】
図２７（ｄ）に「VTS_PGCIT」の構造を示す。「VTS_PGCIT」は、８バイト固定長のテーブルインフォメーション「VTS_PGCITI」、８の倍数のバイト数で可変長のＰＧＣＩサーチポインタ「VTS_PGCI_SRP#1-#n」、及び所要数のプログラムチェインインフォメーション「VTS_PGCI」を含む。
プログラムチェインインフォメーション「VTS_PGCI」は、図２７（ｅ）のように、ジェネラルインフォメーション「PGC_GI」、コマンドテーブル「PGC_CMDT」、プログラムマップ「PGC_PGMAP」、セルプレイバック「C_PBIT」、セルポジションテーブル「C_POSIT」を含む。
【０１０９】
本例のディスクにおいて、例えば図２７（ａ）のように、ＶＭＧ、ＶＴＳ＃１〜＃３が記録されるものとし、ＶＴＳ＃３がＰＩＤ記録に用いられるとした場合、ディスク上において物理的には、図２６（ｂ）のように各ファイルの記録が行われる。
主データエリアＭＡには、内周側からＶＭＧ、ＶＴＳ＃１、ＶＴＳ＃２の各ファイルが連続して記録される。
【０１１０】
一方、ＶＴＳ＃３を構成する各ファイルは、ＰＩＤエリアに記録される。
ＶＴＳ＃３は、そのコントロールデータである「VTS_03_0.IFO」内に、追記エリア１０を形成し、ＰＩＤがナビゲーションコマンドの形式で追記されるようにするものである。
ＰＩＤ等の追記のためにＶＴＳ＃３を用いることや、ＶＴＳ＃３をＰＩＤエリアに配置するのは、次の理由による。
【０１１１】
まずＶＴＳ＃３として、実コンテンツとしてのＶＴＳ＃１，＃２とは別のビデオタイトルセットを設定するのは、上述したＰＯ補償シンボルを記録する必要性が１つの理由である。
追加情報の追記のためのポラリティ制御シンボルをエンボスピット列で配置することにより、ＥＣＣブロック内の所定位置（図２０〜図２５参照）にＰＯ補償シンボル「Ｘ」を配置しなければならない。このため、セクター内を或る程度自由に使用できることが好ましい。一方で、実コンテンツとしてのファイルによって構成されるＶＴＳ＃１，＃２では、追記エリアの設定やポラリティ制御シンボル「５４」の配置に応じた所要位置にＰＯ補償シンボル「Ｘ」を配置することが困難である。コンテンツデータを壊してしまう可能性があるからである。
【０１１２】
このような事情から、実コンテンツとしてのＶＴＳ＃１、＃２とは別に、ＰＩＤ追記のためのＶＴＳ＃３を設けることが適切と考えられる。
もちろんＤＶＤタイトル毎にいくつのＶＴＳが収録されるかは不定である。例えばＶＴＳ＃１〜＃４が実コンテンツとして収録される場合は、ＶＴＳ＃５としてＰＩＤ追記のためのＶＴＳを設ければよいし、ＶＴＳ＃１のみが実コンテンツとして収録される場合は、ＶＴＳ＃２としてＰＩＤ追記のためのＶＴＳを設ければよい。
なお、複数のＶＴＳのうちでどのＶＴＳを用いるかは任意であるが、最後のＶＴＳをＰＩＤ追記のためのＶＴＳとすることが望ましい。
【０１１３】
また、ＰＩＤ追記のためにＶＴＳを用いるもう一つの理由は、ＶＴＳがＶＭＧによって管理されるファイルによって構成されるものであることによる。つまり一般的なＤＶＤプレーヤがアクセス可能なファイルにおいてＰＩＤ追記を行うということである。
例えばＶＭＧによって管理されないファイルにおいてＰＩＤ追記を行うようにすると、一般のＤＶＤプレーヤでは、アクセスできないことになる。
当該ファイルをアクセスするには、非管理領域である当該ファイルにアクセスするような専用のプログラムをＤＶＤプレーヤに実装しなければならず、現実的ではない。
【０１１４】
ここで通常のＤＶＤプレーヤは、ディスクが装填された場合の再生動作に際して、リードインエリアＬＩの情報を読み込んだ後、最初にＶＭＧを読んで、メインメニューの表示再生などコンテンツ再生動作を行う。またユーザの操作に応じて所要のコンテンツ（ＶＴＳ＃１等）の再生を行う。
ＶＭＧには、各ＶＴＳの再生のための管理情報や、ファーストプレイ指示（再生時に最初にアクセスすべきファイルの指示）などの再生制御情報が記述されている。
すると、ＤＶＤプレーヤが特別な制御ソフトウエアが実装されていなくても、ＶＭＧ管理下にあるファイルで構成されるＶＴＳ＃３にアクセスさせることができる。例えばＶＭＧにおいて「ファーストプレイ」とされるファイルとしてＶＴＳ＃３のファイルが指定されるようにすれば、ＤＶＤプレーヤは、ＶＭＧを読んだ直後にＶＴＳ＃３をアクセスし、そこに記述されたナビゲーションコマンドを読み込むことができる。
ナビゲーションコマンドについては後述するが、ＤＶＤプレーヤはナビゲーションコマンドを読み、そのコマンド内容を実行することで、追記されたＰＩＤを読み込むことができる。
即ち本実施の形態では、一般的なＤＶＤプレーヤにＰＩＤ等の追加的付加情報を読み込ませることを目的とするため、ＤＶＤ上のファイルシステム管理下に置かれるＶＴＳを用いてＰＩＤ追記を行うものである。
【０１１５】
以上の理由から或るＶＴＳ（例えばＶＴＳ＃３）をＰＩＤ追記のために用いる。そしてＶＴＳ＃３を、ＰＩＤエリアに記録する。
ＰＩＤエリアを、例えば半径位置５５．９５２ｍｍなどのように固定的に配置するのはディスク製造上の都合が１つの理由である。
追記マーク６は図４〜図６で説明したように、エンボスピット列が形成されていない追記エリア１０において、反射膜４を消失又は低減させることで形成する。すると、良質な追記マーク６の形成には、反射膜４の膜厚は大きく影響する。
【０１１６】
ここで、反射膜は図１に示した成形成膜工程において成膜装置１３０によって形成されるが、予め追記エリア１０を形成するエリア（半径位置）を固定的に決めておけば、その半径位置において、反射膜４の膜厚が一定になるように制御することが比較的容易となる。反射膜４の膜厚は、ディスク全面にわたって均一に形成するものであるが、完全均一化は困難であり、厚み誤差が生ずる。ただし、特定の半径位置においてということであれば、比較的高精度に厚みを制御できる。
このことからＰＩＤエリアを固定しておき、ディスク製造時に、ＰＩＤエリアにおいて反射膜４の膜厚精度を上げることが適切である。
【０１１７】
なお、以上のことは、ＰＩＤエリアが固定されていればよいものであって、必ずしも図２６に示した位置に固定されることが必要となるものではない。
一方で、ＰＩＤエリアを固定するということは、その位置は、本来のコンテンツとしてのファイル（ＶＴＳ＃１、＃２等）としての記録に用いられないようにすることも必要となる。そこで図２６のように、コンテンツ制限を設定し、本来のコンテンツファイルは例えば半径５５．８３７ｍｍまでの領域に記録されるようにするなどの規則を設けることが適切となる。
【０１１８】
ＰＩＤエリアを、図２６のように固定し、最後の実コンテンツ（図２６の場合ＶＴＳ＃２）とは物理的に離れた位置にＰＩＤ追記を行うＶＴＳ＃３を記録するようにする、もう一つの理由を図２８で説明する。
図２８は、ＥＣＣブロック単位での物理的な配置を模式的に示している。
＜移動前＞として示しているのは、ＶＴＳ＃３を構成するファイル「VTS_03_0.IFO」「VTS_03_0.VOB」「VTS_03_1.VOB」「VTS_03_0.BUP」が、ＶＴＳ＃２の最後のファイル「VTS_02_0.BUP」から物理的に連続したＥＣＣブロックで記録された場合である。
通常、再生専用型光ディスクでは、ファイルは離散的に記録する必要がなく、また記録容量も考慮して、物理的に連続して記録される。
従って、ＶＴＳ＃１〜＃３を収録するＤＶＤを製造する場合、通常は、このようにＶＴＳ＃３のファイルはＶＴＳ＃２のファイルの後に連続して記録される。
また、同じＥＣＣブロック内に、同じＶＴＳに属するコントロールデータファイルとバックアップファイル（例えば「VTS_03_0.IFO」と「VTS_03_0.BUP」）は配置してはならないとされるが、１つのＥＣＣブロックに異なるＶＴＳのファイルが並存することには制限はない。このため図のＥＣＣブロックＢＫａのように、１つのＥＣＣブロック内に、「VTS_02_0.BUP」の後半と、「VTS_03_0.VOB」と、「VTS_03_1.VOB」の先頭部分のデータが含まれることもある。
【０１１９】
ここで、本実施の形態においてＰＩＤ追記を行うのは、ＶＴＳ＃３におけるコントロールデータファイル「VTS_03_0.IFO」内である。
そして図２０に示したように、ＥＣＣブロックの先頭セクターＳＣ０からセクターＳＣ１にかけて行方向にＰＯ補償シンボル「Ｘ」を配置するとする。
ところが、この＜移動前＞の場合、コントロールデータファイル「VTS_03_0.IFO」を含むＥＣＣブロックＢＫａの先頭セクターは、ＶＴＳ＃２のバックアップファイル「VTS_02_0.BUP」である。
このため、もしＥＣＣブロックＢＫａのセクターＳＣ０からセクターＳＣ１にＰＯ補償シンボル「Ｘ」を配置すると、ＶＴＳ＃２のバックアップファイル「VTS_02_0.BUP」を壊してしまうことになり適切でない。
このことから、ＰＩＤ追記を行うコントロールデータファイル「VTS_03_0.IFO」は、ＶＴＳ＃２から物理的に離れたＥＣＣブロックに記録することが適切となる。さらに、そのＥＣＣブロック内でＰＯ補償シンボル「Ｘ」を形成して、コントロールデータファイル「VTS_03_0.IFO」自体も壊されないことが必要である。
【０１２０】
このような理由から、＜移動後＞として示しているように、ＶＴＳ＃３を構成するファイルが、ＶＴＳ＃２のファイルを含むＥＣＣブロックとは別のＥＣＣブロックを構成するように、ＶＴＳ＃３をＶＴＳ＃２とは物理的に離して配置する。
図３１の＜移動後＞では、例えばＥＣＣブロックＢＫｂ以降に、ＶＴＳ＃３のファイル「VTS_03_0.IFO」「VTS_03_0.VOB」「VTS_03_1.VOB」「VTS_03_0.BUP」が配置されるようにしている。
【０１２１】
まずコントロールデータファイル「VTS_03_0.IFO」については、ＥＣＣブロックＢＫｂに含まれるようにする。このとき、ＥＣＣブロックＢＫｂの先頭で２セクタ以上の空きを確保する。この２セクタは、図２０のようにＰＯ補償シンボル「Ｘ」を配置するセクターとして確保するものである。
このように「VTS_03_0.IFO」を、或るＥＣＣブロックＢＫｂに移動させ、かつ、２セクタ以上の空きを確保して配置することで、ＰＯ補償シンボル「Ｘ」によって、前のＶＴＳ＃２のデータが壊されることも、「VTS_03_0.IFO」自体が壊されることも無くなる。
【０１２２】
コントロールデータファイル「VTS_03_0.IFO」に続くビデオオブジェクトファイル「VTS_03_0.VOB」「VTS_03_1.VOB」については、例えばＥＣＣブロックＢＫｃ以降のように、連続して配置していけばよい。
【０１２３】
但しバックアップファイル「VTS_03_0.BUP」については、さらに離れた例えばＥＣＣブロックＢＫｄに配置する。
バックアップファイルは、コントロールデータファイルと全く同一のデータ内容であることが要請される。
従って、コントロールデータファイル「VTS_03_0.IFO」においてＰＩＤ追記を行う場合は、バックアップファイル「VTS_03_0.BUP」でも同じ値のＰＩＤ追記を行うことになる。またバックアップファイル「VTS_03_0.BUP」を含むＥＣＣブロックにはポラリティ制御シンボル「５４」が記録されることになる。
ここでＤＶＤのスクランブル方式は、１６ＥＣＣブロックで一周りする。これは、バックアップファイルを、コントロールデータファイルから１６ＥＣＣ離して配置すれば、スクランブルによってもポラリティ制御シンボル「５４」のスクランブル前の値が変動しないことを意味する。
換言すれば、１６ＥＣＣブロック分を離さないと、ポラリティ制御シンボル「５４」のスクランブル前の値がコントロールデータファイル「VTS_03_0.IFO」とバックアップファイル「VTS_03_0.BUP」とで異なるものとなってしまい、バックアップファイルの規定を満たさなくなる。
そこで、図のように、バックアップファイル「VTS_03_0.BUP」は、コントロールデータファイル「VTS_03_0.IFO」から１６ＥＣＣブロック分だけ離して配置するものとする。
【０１２４】
なお、ＥＣＣブロックＢＫａとＢＫｂは、図示の都合上、連続して示しているが、＜移動後＞においては物理的に連続したものである必要はない。
以上の事情は、ＶＴＳ＃３が、ＶＴＳ＃２とは物理的に離れた位置とされる理由の１つ、即ち図２６のようにＰＩＤエリアでＶＴＳ＃３が記録される理由の１つとなるものである。従って、図２８における＜移動後＞におけるＥＣＣブロックＢＫｂ〜ＢＫｄは、図２６のＰＩＤエリア内の或るＥＣＣブロックと考えればよいものである。
【０１２５】
ＰＩＤ等の追記のためにＶＴＳ＃３を用いること、及びＶＴＳ＃３をＰＩＤエリアに配置するのは、以上述べてきた理由による。
そしてＰＩＤエリアに記録されたＶＴＳ＃３におけるナビゲーションコマンドによって、一般のＤＶＤプレーヤがＰＩＤ等の追加的付加情報を読み込むことができるが、その場合のＤＶＤプレーヤの処理は図２９のようになる。
【０１２６】
本実施の形態の再生専用型光ディスク（ＤＶＤ）が装填されたＤＶＤプレーヤでは、まず図２９のステップＳ１として、初期立ち上げ処理を行う。即ちスピンドルモータ起動、フォーカスサーチ／フォーカスサーボ引き込み、トラッキングサーボオン等を行い、ディスクから情報読出可能な状態とする。そして初期立ち上げ処理を完了したら、まずリードインエリアＬＩの情報読出を行う。
続いてステップＳ２で、ＶＭＧリードを行う。先に述べたように、ＶＭＧにおいてファーストプレイとしてＶＴＳ＃３が指定されていれば、ステップＳ３として、ＤＶＤプレーヤはＰＩＤエリアに記録されているＶＴＳ＃３にアクセスすることになる。
ステップＳ４で、ＤＶＤプレーヤはＶＴＳ＃３をリードする。このＶＴＳ＃３のコントロールデータファイル「VTS_03_0.IFO」には、後述するように追記されたＰＩＤを含むナビゲーションコマンドが記録されている。
このナビゲーションコマンドが読み込まれることによって、ＤＶＤプレーヤはＰＩＤを内部レジスタに取り込む動作を行う。
その後、ステップＳ５としてＤＶＤプレーヤは、ＶＭＧの再生管理にしたがった再生動作を行うが、読み込んだＰＩＤを用いた各種の処理も可能となる。
【０１２７】
このような動作を実現するために、ＰＩＤをナビゲーションコマンドの形式で追記する具体例を、以下説明していく。
図３０（ａ）はナビゲーションコマンドの構造を示している。ナビゲーションコマンドは８バイト固定長（ビットｂ０〜Ｂ６３）とされ、２バイトのオペレーションコードと６バイトのオペランドセットから成る。
なおＤＶＤフォーマットにおいてナビゲーションコマンドの構造は各種規定されているが、ここではＰＩＤをＤＶＤプレーヤのレジスタに取り込ませるためのナビゲーションコマンド（セットコマンド）についてのみ述べる。
【０１２８】
この場合、オペランドセットにおいてｂ０〜ｂ１５の２バイトはリザーブとされている。
ｂ１６〜ｂ３１の２バイトは代入値を示すＳＳとされる。
ｂ３２〜ｂ４７の２バイトはレジスタナンバを示すＳＤＧとリザーブビットとされる。
この８バイトのナビゲーションコマンドが図３０（ｂ）のように、「７１・００・００・０３・ＦＦ・ＦＦ・００・００」の場合は次の意味となる。
２バイトのオペレーションコードが「７１・００」であるときは、代入命令を意味する。
ＳＤＧが「０３」であることは、「レジスタ番号３」を示す。
ＳＳの「ＦＦ・ＦＦ」は代入値である。
従って、この図３０（ｂ）のナビゲーションコマンドは、「レジスタ番号「３」に「ＦＦ・ＦＦ」を代入せよ」という意味のコードとなる。
【０１２９】
このようなナビゲーションコマンドを利用することで、ＰＩＤを構成する１バイトをＤＶＤプレーヤの所定のレジスタに取り込ませることができる。
例えば「７１・００・００・０３・ＦＦ・ＦＦ・００・００」のうち、下位４バイトの部分が、ＥＣＣブロックにおいてＥＤＣと同列となるようにする。
そして下位３バイト「ＦＦ・００・００」の部分を追記マーク６により記録する。このとき、「ＦＦ」の部分は、実際にＰＩＤを構成する或る１バイトの値に変換して追記する。
ナビゲーションコマンドの上位５バイト「７１・００・００・０３・ＦＦ」はエンボスピット列で記録する。但し、最後の「ＦＦ」は、追記エリア１０の直前のシンボルとなるため、ポラリティ制御シンボル「５４」に置き換えて、マスタリング（ピット列形成）を行う。
なお、マスタリング前にマスターデータとしての記録信号内で「ＦＦ」に置き換えてセットするポラリティ制御シンボル「５４」の値は、スクランブル後に「５４」となる値であることに注意されたい。つまり、光ディスク原盤１９２上で「５４」のパターンとなるようにする。
ちなみに、スクランブルを掛ける処理も、スクランブルをほどく処理も、同じ計算で或る値とＥＸ−ＯＲ演算することになる。
【０１３０】
具体的には図３２のような記録を行う。
この図３２には、図２０の形式でＰＯ補償シンボル「Ｘ」を配置する例に準拠したものとしている。
このＥＣＣブロックは、例えば図３１の＜移動後＞のＥＣＣブロックＢＫｂに相当するブロックとなり、例えばセクターＳＣ（Ｎ）〜ＳＣ１５に、コントロールデータファイル「VTS_03_0.IFO」が記録されるものとしている。
そして、ＰＩＤ追記は、セクターＳＣ（Ｍ）で行うとする。
斜線を付した部分は、ＰＩＤ、ＥＤＣ、ＰＩパリティ、ＰＯパリティ等の追加情報の記録を行う部分である。
セクターＳＣ（Ｍ）において追記されるＰＩＤを構成するバイトを「●」で示している。これは３バイトで構成されるＰＩＤをナビゲーションコマンド形式で追記する場合の一例である。なお図示の都合上、セクターＳＣ（Ｍ）のみを他のセクターより拡大して示している。
セクターＳＣ（Ｍ）において追記を行う各行では、ＥＤＣと同列の３バイトと、ＰＩパリティ１０バイトとの１３バイトの追記を行うことになる。
【０１３１】
即ち、図３０（ｂ）のようにナビゲーションコマンドの下位４バイト部分「ＦＦ・ＦＦ・００・００」をＥＤＣ同列とし、これを「５４・●・００・００」として記録すると、図３２のようになる。ＥＤＣと同列の４バイトは、先頭がポラリティ制御シンボル「５４」としてエンボスピット列で形成され、続くバイトで「●」としてＰＩＤ構成値が追記される。続く２バイトは、ナビゲーションコマンド上でリザーブビットであり、将来的な使用を考慮すれば値の置き換えは不適切なため、「００・００」をそのまま追記する。
また、ナビゲーションコマンドにおける上位の４バイト、例えば図３０（ｂ）の「７１・００・００・０３」は、「５４」の前の４バイトにエンボスピット列で形成する。
【０１３２】
このようにすることで、セクターＳＣ（Ｍ）内で、１行につき１バイトのＰＩＤを、ナビゲーションコマンド形式で記録できる。従って図示のように３行を用いれば、３バイトのＰＩＤを追記できることになる。
【０１３３】
３バイトのＰＩＤを書き込む場合、例えば図３１のように３つのナビゲーションコマンドＮＶ１、ＮＶ２、ＮＶ３を、それぞれ図３２に各行に記録するようにすればよい。
ナビゲーションコマンドＮＶ１は「７１・００・００・００・５４・ＷＷ・００・００」とする。
ナビゲーションコマンドＮＶ２は「７１・００・００・０２・５４・ＹＹ・００・００」とする。
ナビゲーションコマンドＮＶ３は「７１・００・００・０４・５４・ＺＺ・００・００」とする。
なお、ＷＷ、ＹＹ、ＺＺは３バイトのＰＩＤの各値であるとする。
【０１３４】
例えばこのようなナビゲーションコマンドＮＶ１、ＮＶ２、ＮＶ３が、図３２のセクターＳＣ（Ｍ）の３つの行に記録されたとすると、ＤＶＤプレーヤでは、これらのナビゲーションコマンドをリードすることで、図３１のように値をレジスタに取り込むことになる。
ナビゲーションコマンドＮＶ１はレジスタ番号「０」に「５４・ＷＷ」をセットすることを指示するコマンドであるため、ＤＶＤプレーヤのレジスタ０に「５４・ＷＷ」が取り込まれる。（但し「５４」はこの段階ではデスクランブルされた値。以下同様）
ナビゲーションコマンドＮＶ２はレジスタ番号「２」に「５４・ＹＹ」をセットすることを指示するコマンドであるため、ＤＶＤプレーヤのレジスタ２に「５４・ＹＹ」が取り込まれる。
ナビゲーションコマンドＮＶ３はレジスタ番号「４」に「５４・ＺＺ」をセットすることを指示するコマンドであるため、ＤＶＤプレーヤのレジスタ４に「５４・ＺＺ」が取り込まれる。
この場合、ＤＶＤプレーヤ側では、各レジスタの下位バイトを取り出すことで、３バイトのＰＩＤ＝「ＷＷ・ＹＹ・ＺＺ」を認識できるようになる。
【０１３５】
以上のように、例えば図３２の形式で、ナビゲーションコマンドにＰＩＤ値を含む状態でディスクに記録できる。
すると、このコントロールデータファイルをアクセスしたＤＶＤプレーヤは、ＰＩＤ値を取り込むことができ、ＰＩＤを用いた処理が実現可能となる。
【０１３６】
［７．追記に関するディスク製造段階の処理］
例えば図３２のように、或るＥＣＣブロックに記録するコントロールデータファイル内で、ナビゲーションコマンドの形式でＰＩＤを追記するようにする本例の光ディスクの製造段階の処理について説明する。
【０１３７】
図２７で説明したように、ＶＴＳのコントロールデータファイル（例えばＶＴＳ＃３の「VTS_03_0.IFO」）には、「VTSI_MAT」「VTS_PTT_SRPT」「VTS_PGCIT」「VTSM_PGCI_UT」・・・等の各種の情報が記述される。これらの情報はロジカルブロックアラインで配置される。そしてナビゲーションコマンドは、プログラムチェインの情報のテーブルである「VTS_PGCIT」内の「VTS_PGCI」へ記録される。ここで図２７（ｄ）に示したように、「VTS_PGCI」の直前に位置する「VTS_PGCI_SRP」の個数はＶＴＳに含まれる「VTS_PGCI」の個数により決まる。また、各「VTS_PGCI」中の、図２７（ｅ）に示した「PGC_PGMAP」、「C_PBIT」、「C_POSIT」の有無や個数はタイトルの作り方に依存する。
これはナビゲーションコマンドを構成する８バイトのコマンド群「PGC_CMDT」を含む「VTS_PGCI」の開始位置がＤＶＤタイトル毎に不定であることを意味する。
ここで、図３２のように、或るＥＣＣブロックにおける或るセクター範囲（例えばセクターＳＣ（Ｎ）〜ＳＣ１５）にコントロールデータファイル「VTS_03_0.IFO」を記録するとした場合、ＰＩＤ追記を行うナビゲーションコマンドのファイル内位置が問題となる。
即ち、ナビゲーションコマンドにおけるＰＩＤ値を挿入する１バイト（図３０（ｂ）の下位から３バイト目の「ＦＦ」の位置）が、少なくともＥＤＣと同列となるようにしなければならない。
このようにするためには、オーサリングの段階から工夫が必要となる。
【０１３８】
ナビゲーションコマンドは８バイトであり、ＥＣＣブロックの１行はＰＩパリティを除いて１７２バイトである。
８バイトのナビゲーションコマンドをＥＣＣブロック内に繰り返し記述したとして、１行の最後の８バイト、つまり１６５バイト目〜１７２バイト目に配置されるナビゲーションコマンドのパターンは次のパターンＰＴ１〜ＰＴ８の８通りである。
例えばナビゲーションコマンドを「７１・００・００・０１・ＦＦ・ＦＦ・００・００」とすると、
・パターンＰＴ１：「７１・００・００・０１・ＦＦ・ＦＦ・００・００」
・パターンＰＴ２：「００・７１・００・００・０１・ＦＦ・ＦＦ・００」
・パターンＰＴ３：「００・００・７１・００・００・０１・ＦＦ・ＦＦ」
・パターンＰＴ４：「ＦＦ・００・００・７１・００・００・０１・ＦＦ」
・パターンＰＴ５：「ＦＦ・ＦＦ・００・００・７１・００・００・０１」
・パターンＰＴ６：「０１・ＦＦ・ＦＦ・００・００・７１・００・００」
・パターンＰＴ７：「００・０１・ＦＦ・ＦＦ・００・００・７１・００」
・パターンＰＴ８：「００・００・０１・ＦＦ・ＦＦ・００・００・７１」
となる。
ただし、規格上「VTS_PGCIT」を構成するデータはすべて２の倍数で構造定義されており（「PGC_PGMAP」のように１バイトデータでは要素数が奇数となるときはパディングして偶数にするとされている）、ナビゲーションコマンドがパターンＰＴ２（ＰＴ６）、ＰＴ８（ＰＴ４）並びとなることはない。しかしここでは本方式の柔軟性を示すため、すべてのパターンについて検証する。
【０１３９】
ＥＤＣと同列となるのは１６９バイト目〜１７２バイト目の４バイトである。パターンＰＴ１の場合、「ＦＦ・ＦＦ・００・００」の部分に相当する。
上述のように、「ＦＦ・ＦＦ」の部分をエンボスピット列による「５４」と、追記マークによるＰＩＤ値とすると、下位から３バイト目の「ＦＦ」が、少なくともＥＤＣと同列になっていなければならない。
すると、その条件に合致するのは、パターンＰＴ１，ＰＴ２，ＰＴ３，ＰＴ８の４つとなる。
【０１４０】
上述のようにナビゲーションコマンドを含む「VTS_PGCI」の開始位置は不定である。するとＥＣＣブロックの或る行において何バイト目からナビゲーションコマンド「PGC_CMDT」が記述されるかは不定である。しかし、１行が１７２バイトで、１７２バイトごとに追記可能な位置が出現することと、ナビゲーションコマンドが８バイトであることにより、１７２／８＝２１．５であるので、４３個ナビゲーションコマンドを記述すれば、２行に１回は、ＥＤＣ列の部分が、上記パターンＰＴ１，ＰＴ２，ＰＴ３，ＰＴ８のいずれかとなることになる。
【０１４１】
図３３で説明する。
図３３（ａ）は、ＥＣＣブロック内の或る行ｒ１において、仮に、第１バイト目から、ナビゲーションコマンドを４３個連続して記述した場合である。１７２バイトの１行には２１．５個のナビゲーションコマンドが記述されるので、４３個のナビゲーションコマンドは行ｒ１，ｒ２の２行にわたって配置されることになる。
ここで、各行においてＥＤＣと同列４バイトを含む最後の８バイト部分を見ると、行ｒ１ではパターンＰＴ５になっており、行ｒ２ではパターンＰＴ１になっている。
すると、この場合、パターンＰＴ１である行ｒ２の最後の８バイト部分をＰＩＤ追記に用いることができる。
なお、図示しないが、行ｒ１の９バイト目、１７バイト目、２５バイト目・・・からナビゲーションコマンドが連続して記述される場合も同様に、行ｒ２の最後の８バイトはパターンＰＴ１となる。
【０１４２】
図３３（ｂ）は、ＥＣＣブロック内の或る行ｒ１において、第２バイト目から、ナビゲーションコマンドを４３個連続して記述した場合である。４３個のナビゲーションコマンドは行ｒ１，ｒ２，ｒ３にわたって配置される。
ここで、ＥＤＣと同列４バイトを含む最後の８バイト部分を見ると、行ｒ１ではパターンＰＴ６になっており、行ｒ２ではパターンＰＴ２になっている。
すると、この場合、パターンＰＴ２である行ｒ２の最後の８バイト部分をＰＩＤ追記に用いることができる。
なお、行ｒ１の１０バイト目、１８バイト目、２６バイト目・・・からナビゲーションコマンドが連続して記述される場合も同様となる。
【０１４３】
図３３（ｃ）は、ＥＣＣブロック内の或る行ｒ１において、第３バイト目から、ナビゲーションコマンドを４３個連続して記述した場合である。４３個のナビゲーションコマンドは行ｒ１，ｒ２，ｒ３にわたって配置される。
ここで、ＥＤＣと同列４バイトを含む最後の８バイト部分を見ると、行ｒ１ではパターンＰＴ７になっており、行ｒ２ではパターンＰＴ３になっている。
すると、この場合、パターンＰＴ３である行ｒ２の最後の８バイト部分をＰＩＤ追記に用いることができる。
なお、行ｒ１の１１バイト目、１９バイト目、２７バイト目・・・からナビゲーションコマンドが連続して記述される場合も同様となる。
【０１４４】
図３３（ｄ）は、ＥＣＣブロック内の或る行ｒ１において、第４バイト目から、ナビゲーションコマンドを４３個連続して記述した場合である。４３個のナビゲーションコマンドは行ｒ１，ｒ２，ｒ３にわたって配置される。
ここで、ＥＤＣと同列４バイトを含む最後の８バイト部分を見ると、行ｒ１ではパターンＰＴ８になっており、行ｒ２ではパターンＰＴ４になっている。
すると、この場合、パターンＰＴ８である行ｒ１の最後の８バイト部分をＰＩＤ追記に用いることができる。
なお、行ｒ１の１２バイト目、２０バイト目、２８バイト目・・・からナビゲーションコマンドが連続して記述される場合も同様となる。
【０１４５】
例えば以上のように、或る行の何バイト目の位置からナビゲーションコマンドが記述される場合でも、４３個連続して記述すれば、２行のうち１行は、その行の最後の８バイトがパターンＰＴ１，ＰＴ２，ＰＴ３，ＰＴ８のいずれかとなる。
なお上記した図３２は、パターンＰＴ１となる行においてＰＩＤ追記を行った場合の例となる。即ちパターンＰＴ１の「７１・００・００・０１・ＦＦ・ＦＦ・００・００」の「ＦＦ・ＦＦ」を「５４」と「●（ＰＩＤ値）」とし、「●（ＰＩＤ値）・００・００」をＥＤＣと同列の３バイトに追記したときの例である。
【０１４６】
以上のことから、３バイトのＰＩＤを追記する場合、オーサリング段階で、コントロールデータファイル「VTS_03_0.IFO」内に３種類のナビゲーションコマンドをそれぞれ４３個連続して記述するようにしておけばよい。すると、マスタリングの段階で、特定の行のＥＤＣ同列を追記エリア１０に設定し、追記工程でＰＩＤ値を追記でいることになる。
【０１４７】
具体例で説明する。オーサリング段階でコントロールデータファイル「VTS_03_0.IFO」内に記述する３種類のナビゲーションコマンドｎｖ１，ｎｖ２，ｎｖ３を次のようにする。
ｎｖ１：「７１・００・００・００・ＦＦ・ＦＦ・００・００」・・・（レジスタ０に「ＦＦ・ＦＦ」代入）
ｎｖ２：「７１・００・００・０２・ＦＦ・ＦＦ・００・００」・・（レジスタ２に「ＦＦ・ＦＦ」代入）
ｎｖ３：「７１・００・００・０４・ＦＦ・ＦＦ・００・００」・・（レジスタ４に「ＦＦ・ＦＦ」代入）
【０１４８】
そして或るＥＣＣブロックにおいて、図３４のように、行ｒ１の途中（例えば第１５３バイト目）からナビゲーションコマンドを記述するとする。
まずナビゲーションコマンドｎｖ１を４３個連続して配置する。続いてナビゲーションコマンドｎｖ２を４３個連続して配置する。さらに続いてナビゲーションコマンドｎｖ３を４３個連続して配置する。
その状態が図３４に示されるものであるが、この場合、行ｒ２の最後の８バイトは、ナビゲーションコマンドｎｖ１についてパターンＰＴ１となっている。
また行ｒ４の最後の８バイトは、ナビゲーションコマンドｎｖ２についてパターンＰＴ１となっている。
さらに行ｒ６の最後の８バイトは、ナビゲーションコマンドｎｖ３についてパターンＰＴ１となっている。
【０１４９】
オーサリング段階では、例えばこのような状態でマスターデータを作成する。そのマスターデータは、ディスク製造のため、図１のマスタリング工程に供される。
ここで、追記エリア１０を形成するため、マスターデータの一部が書き換えられるようにする。
図３５において行ｒ２，ｒ４，ｒ６におけるＡＭ部分は、その直後のＰＩパリティ部分を含めて、追記エリア１０とされる部分である。従って図３５のＡＭ部分は、すべてランドとなる無変調信号値に変換する。
例えば図３４の時点では「ＦＦ・００・００」であったものが「００・００・００」に変換される。
またＡＭ部分の直前は、図３４の時点では「ＦＦ」であるが、これをポラリティ制御シンボル「５４」のシンボルに変換する。なお上述のようにマスターデータ上ではスクランブル後に「５４」となる値に変換することになる。
【０１５０】
さらに、オーサリング段階で、ナビゲーションコマンドをそれぞれ４３個連続させたことに対する処理を行う。
例えばこの図３５では、ＡＭ部分のナビゲーションコマンドを、ＤＶＤプレーヤに読ませたいものとなる。ところが、オーサリング後のマスターデータの段階では、そのナビゲーションコマンドに後続して、同じナビゲーションコマンドが繰り返されている。例えば図３４の行ｒ１の第１５３バイト目から、行ｒ３の第１５２バイト目まで、ナビゲーションコマンドｎｖ１が配置されている。すると行ｒ２の最後のナビゲーションコマンドｎｖ１の部分でＰＩＤ値をレジスタ「０」に読み込ませたとしても、行ｒ３に続くナビゲーションコマンドｎｖ１で、またレジスタ「０」に「ＦＦ・ＦＦ」を代入する命令が発生してしまい、レジスタ上で、一旦取り込んだＰＩＤ値に上書きされてしまうことになる。
【０１５１】
そこで、図３５の斜線部として示すように、後続するナビゲーションコマンドの書換を行う。例えば斜線部はナビゲーションコマンドのオペレーションコードとして「７１」が記述されている部分であるが、これをＮＯＰ命令（無効命令：「何もしない」というコマンド）の値に書き換える。或はジャンプ命令としてもよい。例えば行ｒ３におけるナビゲーションコマンドｎｖ１によるオペレーションを、ナビゲーションコマンドｎｖ２の記録開始位置（例えば行ｒ３における第１５３バイト目）へのジャンプ指示に書き換える。
このように、ＡＭ部分以降も連続配置したナビゲーションコマンドを無効化することで、ＤＶＤプレーヤがＡＭ部分を含むナビゲーションコマンドを読み込んだ後、ＰＩＤ値がレジスタに保存される状態とすることができる。
【０１５２】
以上のようにＡＭ部分のランド化、ポラリティ制御シンボル「５４」（スクランブル後に「５４」となる値）への置き換え、後続ナビゲーションコマンドの命令変更という処理を、マスターデータに施した上で、図１で説明したマスタリング工程を行う。
そして成形成膜工程、貼り合わせ工程を経ることで、上述したように追記エリア１０が形成されたディスクが製造される。
この段階で、図３２の斜線部が追記エリア１０となっていることになる。
【０１５３】
追記工程では、図３２に斜線部に追記マーク６の記録を行う。即ち、例えば図３２のセクターＳＣ（Ｍ）の３つの行の各第１７０〜１７２バイト目に「ＷＷ・００・００」「ＹＹ・００・００」「ＺＺ・００・００」を書き込む。もちろん、この際に、当該各行のＰＩパリティ、セクターＳＣ（Ｍ）のＥＤＣ、及びＰＯパリティの追記も行う。
この時点で、図３５に示すように、ＡＭ部分にそれぞれ「ＷＷ・００・００」「ＹＹ・００・００」「ＺＺ・００・００」が書き込まれたことになる。
即ち当該ＥＣＣブロック内のデータでは、オーサリング段階でナビゲーションコマンドｎｖ１、ｎｖ２、ｎｖ３として記述されたものが、次のナビゲーションコマンドＮＶ１、ＮＶ２，ＭＶ３のようになる。
ＮＶ１：「７１・００・００・００・５４・ＷＷ・００・００」・・・（レジスタ０に「５４・ＷＷ」代入）
ＮＶ２：「７１・００・００・０２・５４・ＹＹ・００・００」・・・（レジスタ２に「５４・ＹＹ」代入）
ＮＶ３：「７１・００・００・０４・５４・ＺＺ・００・００」・・・（レジスタ４に「５４・ＺＺ」代入）
【０１５４】
従って、このように追記されたディスク（ＤＶＤ）を再生するＤＶＤプレーヤでは、図３１で説明した動作が実現され、ＰＩＤ値を取り込めることになる。
【０１５５】
以上の、ディスク製造におけるナビゲーションコマンドによるＰＩＤ書込のための処理をまとめると、図３６のようになる。
ステップＦ１０１として、オーサリング段階で、ナビゲーションコマンドｎｖ１、ｎｖ２、ｎｖ３を設定し、それぞれ４３回連続配置するようにコントロールデータファイル「VTS_03_0.IFO」を作成する。つまりＶＴＳ＃３のファイルデータとして、このようなコントロールデータファイルを含むマスターデータを作成する。
【０１５６】
ステップＦ１０２として、マスタリング工程の直前の段階で、ＥＣＣブロック内における追記位置を決定する。即ちナビゲーションコマンドが、上記パターンＰＴ１，ＰＴ２，ＰＴ３，ＰＴ８のいずれかとなっている部分をＰＩＤ追記位置として設定する。図３５のＡＭ部分を決定する処理である。
ステップＦ１０３で、追記位置（ＡＭ部分）のナビゲーションコマンドの値の書換を行う。即ち、ＡＭ部分をすべてランド相当の無変調信号値とする。またその直前バイトをポラリティ制御シンボル「５４」となる値に置き換える。
ステップＦ１０４で、４３回連続配置したうちの後続（ＡＭ部分以降）のナビゲーションコマンドの命令内容を書き換える。例えばＮＯＰ命令やジャンプ命令に書き換える。
【０１５７】
例えば以上のデータ置き換えを、図１の追記管理部１６０がマスターディスク１９１で供給されるマスターデータに対して行う。
その後ステップＦ１０５でマスタリング工程を行う。
またステップＦ１０６で成形成膜工程、ステップＦ１０７で貼り合わせ工程を行う。
最後にステップＦ１０８で追記工程として、ＰＩＤ値の追記と、必要部分のＰＩパリティ、ＥＤＣ、及びＰＯパリティの追記を行う。
以上の手順で、本実施の形態の再生専用型光ディスク（ＤＶＤ）が製造される。
【０１５８】
なお、図３２，図３４，図３５は、或る行の最後でナビゲーションコマンドが上記パターンＰＴ１となる場合を例に挙げて説明したが、パターンＰＴ２，ＰＴ３，ＰＴ８となる場合の例を以下に示す。
或る行の最後の８バイトがパターンＰＴ２「００・７１・００・００・０１・ＦＦ・ＦＦ・００」となり、その部分でＰＩＤ追記を行うこととする場合、図３７のようになる。
即ち「ＦＦ・ＦＦ・００」が第１７０〜１７２バイト目となるため、第１７０バイトに位置する「ＦＦ」をポラリティ制御シンボル「５４」とする。そして第１７１，１７２バイト目に位置する「ＦＦ・００」を無変調信号に変換して追記エリア１０を形成する。
従って追記マーク記録部分は、セクターＳＣ（Ｍ）の所定行においては、２バイト＋ＰＩパリティ１０バイト＝１２バイトとなる。２バイトの追記部分には、例えばＰＩＤ値「ＷＷ」と「００」等を追記する。
【０１５９】
或る行の最後の８バイトがパターンＰＴ３「００・００・７１・００・００・０１・ＦＦ・ＦＦ」となり、その部分でＰＩＤ追記を行うこととする場合、図３８のようになる。
即ち「ＦＦ・ＦＦ」が第１７１〜１７２バイト目となるため、第１７１バイトに位置する「ＦＦ」をポラリティ制御シンボル「５４」とする。そして第１７２バイト目に位置する「ＦＦ」を無変調信号に変換して追記エリア１０を形成する。
従って追記マーク記録部分は、セクターＳＣ（Ｍ）の所定行においては、１バイト＋ＰＩパリティ１０バイト＝１１バイトとなる。１バイトの追記部分には、例えばＰＩＤ値「ＷＷ」等を追記する。
【０１６０】
或る行の最後の８バイトがパターンＰＴ８「００・００・０１・ＦＦ・ＦＦ・００・００・７１」となり、その部分でＰＩＤ追記を行うこととする場合、図３９のようになる。
即ち「ＦＦ・ＦＦ・００・００・７１」が第１６８〜１７２バイト目となる。このときは、第１６８バイトに位置する「ＦＦ」をポラリティ制御シンボル「５４」とする。そして第１６９バイト〜１７２バイト目に位置する「ＦＦ・００・００・７１」を無変調信号に変換して追記エリア１０を形成する。
従って追記マーク記録部分は、セクターＳＣ（Ｍ）の所定行においては、４バイト＋ＰＩパリティ１０バイト＝１４バイトとなる。４バイトの追記部分には、例えばＰＩＤ値「ＷＷ・００・００・ｑｑ」等を追記する。ｑｑの部分は、後続のナビゲーションコマンドの一部となるため、例えばＮＯＰ命令値等を追記するようにすればよい。
【０１６１】
以上説明してきたように、本実施の形態によれば、例えば通常のＤＶＤプレーヤによってＰＩＤ等の追加的付加情報を読み込ませることができる。
また、上記の製造方法により、容易かつ適切にナビゲーションコマンドを利用してＰＩＤ等を追記した光ディスクを製造できる。
【０１６２】
なお、図３２等の例では、３バイトのＰＩＤを記録する場合を例に挙げたが、「VTS_PGCI」を複数使用することで４バイト以上の追加的付加情報の記録を行うことももちろん可能である。
また、実施の形態ではＤＶＤ方式の再生専用型光ディスク９０として、本発明を実現した例を述べたが、他のディスク方式の再生専用型光ディスク媒体及び製造方法としても、そのデータフォーマットに応じて本発明の考え方を適用できる。
さらに、再生専用型光ディスク媒体に限られず、色素膜が形成され、色素変化マーク列によりデータ記録が行われるライトワンス型光ディスクや、相変化膜が形成され相変化マークによりデータ記録が行われるリライタブル型光ディスクなどにおける、追加的付加情報を含む追加情報の記録においても好適である。
【符号の説明】
【０１６３】
２  ピット、３  ランド、４  反射膜、５  接着剤、６  追記マーク、１０  追記エリア、９０  再生専用型光ディスク、１５０  追加情報記録装置、１９７  貼り合わせ済光ディスク
【図１】
2011014180.tif 000003
【図２】
2011014180.tif 000004
【図３】
2011014180.tif 000005
【図４】
2011014180.tif 000006
【図５】
2011014180.tif 000007
【図７】
2011014180.tif 000008
【図８】
2011014180.tif 000009
【図９】
2011014180.tif 000010
【図１０】
2011014180.tif 000011
【図１１】
2011014180.tif 000012
【図１２】
2011014180.tif 000013
【図１３】
2011014180.tif 000014
【図１４】
2011014180.tif 000015
【図１５】
2011014180.tif 000016
【図１６】
2011014180.tif 000017
【図１７】
2011014180.tif 000018
【図１８】
2011014180.tif 000019
【図１９】
2011014180.tif 000020
【図２０】
2011014180.tif 000021
【図２１】
2011014180.tif 000022
【図２２】
2011014180.tif 000023
【図２３】
2011014180.tif 000024
【図２４】
2011014180.tif 000025
【図２５】
2011014180.tif 000026
【図２６】
2011014180.tif 000027
【図２７】
2011014180.tif 000028
【図２８】
2011014180.tif 000029
【図２９】
2011014180.tif 000030
【図３０】
2011014180.tif 000031
【図３１】
2011014180.tif 000032
【図３２】
2011014180.tif 000033
【図３３】
2011014180.tif 000034
【図３４】
2011014180.tif 000035
【図３５】
2011014180.tif 000036
【図３６】
2011014180.tif 000037
【図３７】
2011014180.tif 000038
【図３８】
2011014180.tif 000039
【図３９】
2011014180.tif 000040
【図６】
2011014180.tif 000041